【事件の表示】
　特許第２８４７０９９号「低電力消費モニタ待機システム」の請求項１ないし６２に係る特許に対する特許異議の申立てについて、次のとおり決定する。
【結　論】
　訂正を認める。
　特許第２８４７０９９号の請求項１ないし４６に係る特許を維持する。
【理　由】
第１　手続の経緯
　特許２８４７０９９号の請求項１ないし６２に係る発明についての出願は、平成５年１１月２９日（パリ条約による優先権主張外国庁受理１９９２年１２月２日，１９９３年１０月２２日、米国（ＵＳ））を国際出願日とする出願であって、平成１０年１１月６日にその発明について特許権の設定登録がなされ、その後、三菱電機株式会社、日本電気株式会社、高橋喜美夫、ソニー株式会社より特許異議の申立てがなされ、そして、三菱電機株式会社、ソニー株式会社より特許異議の申立ての取下げがなされ、その後、取消しの理由の通知がなされ、その指定期間内である平成１３年８月２３日に訂正請求がなされたものである。
　
第２　訂正の適否
１　訂正の内容
　特許権者の求めている訂正に内容は次のとおりである。
　
（１）訂正事項ａ
　特許請求の範囲の請求項１５，１７，２８，３１，３３，３５，４０を削除する。これに伴い、請求項番号を繰り上げる。
　
（２）訂正事項ｂ
　特許請求の範囲の請求項５３の「タイミング手段」を「タイマー」に訂正する。
　
（３）訂正事項ｃ
　特許明細書第７頁右欄第３９行目ないし同第８頁左欄第２行目の「ホストコンピュータにおいて入力活性がない異なる監視期間の結果として、異なる別の電力管理信号がモニタに送られる。モニタへの第１の電力管理信号は、例えばＨＳＹＮＣ信号のみを中断することにより、入力活性がない第１の期間の後、例えば５分後に送られ、モニタに対してレベル１の電力モードをとるように命令する。例えば中断されたＶＳＹＮＣ信号のみから構成される第２の電力管理信号は、２０分後のような第２の期間の後に送られ、モニタに対してレベル２の電力モードをとるように命令する。例えばＨＳＹＮＣ信号とＶＳＹＮＣ信号の両方を中断することによる第３の電力管理信号は、ホストコンピュータにおいて入力活性が１時間ないような第３の期間の後に送られ、モニタにさらに別の電力レベルをとらせるように命令する。」の記載を削除する。
　
（４）訂正事項ｄ
　請求項１ないし請求項９を削除する。これに伴い、請求項番号を繰り上げる。
　
２　訂正の目的の適否、新規事項の有無、及び特許請求の範囲の拡張・変更の存否
　訂正事項ａは、請求項の削除を行うものであるので、特許請求の範囲の減縮を目的とする明細書の訂正該当し、訂正事項ｂについては、請求項５２の「タイマー」と請求項５３の「前記タイミング手段」との関係から、誤記が存在することは明らかであり、本件国際出願の明細書に記載された「タイマー」とせずに「タイミング手段」と誤記したことに起因すると認められ、請求項５３において「タイミング手段」を「タイマー」と訂正することにより、請求項５２と請求項５３との関係が明りょうとなり、また、「タイマー」は「タイミング手段」を限定したものであるから、訂正事項ｂは、誤記の訂正を目的とする明細書の訂正に該当し、訂正事項ｃは、訂正事項ａによる請求項の削除（例えば請求項３１の削除）に対応して、明細書に記載の一部を削除するものでり、明りょうでない記載の釈明を目的とする明細書の訂正に該当し、訂正事項ｄは、請求項の削除を行うものであるので、特許請求の範囲の減縮を目的とする明細書の訂正該当するものであって、いずれも新規事項の追加に該当せず、また、実質上特許請求の範囲を拡張し、又は変更するものでもない。
　
３　独立特許要件
（１）特許法第１８４条の１４違反について
（ａ）第３の電力管理信号について
　上記訂正事項ｃにより、訂正前の特許明細書第７頁右欄第３９行目ないし同第８頁左欄第２行目の「ホストコンピュータにおいて入力活性がない異なる監視期間の結果として、異なる別の電力管理信号がモニタに送られる。モニタへの第１の電力管理信号は、例えばＨＳＹＮＣ信号のみを中断することにより、入力活性がない第1の期間の後、例えば５分後に送られ、モニタに対してレベル１の電力モードをとるように命令する。例えば中断されたＶＳＹＮＣ信号のみから構成される第２の電力管理信号は、２０分後のような第２の期間の後に送られ、モニタに対してレベル断することによる第３の電力管理信号は、ホストコンピュータにおいて入力活性が１時間ないような第３の期間の後に送られ、モニタにさらに別の電力レベルをとらせるように命令する。」との記載は削除されたので、この点において、訂正された請求項１ないし４６に係る発明は、本件の特許法第１８４条の４第１項の国際出願の出願日における明細書、請求の範囲又は図面及びこれらの書類の同条第４項の出願翻訳文（以下、「出願翻訳文等」という。）に記載された発明以外の発明であるとはいえず、特許法第１８４条の１４の規定の発明に該当しない。
　
（ｂ）フィラメントヒータに部分的な電力が供給されることについて
　上記訂正事項ａにより、訂正前の請求項１５，１７，２８，３１，３３，３５，４０は削除されたので、この点において、訂正された請求項１ないし４６に係る発明は、出願翻訳文等に記載された発明以外の発明であるとはいえず、特許法第１８４条の１４の規定の発明に該当しない。
　
（ｃ）入力装置の異なる不活性期間の検出について
　出願翻訳文等には、「入力装置の異なる不活性期間の検出する」の明示的記載はないが、本件出願翻訳文には、「このシステムは、不活性の期間を測定し、入力中断時にゼロにリセットして、予め設定されたオーバーフロー値でオーバーフロー信号を供給するように構成されたタイミング手段と、タイミング手段のオーバーフロー状態にしたがってモニ夕に対するＨＳＹＮＣおよびＶＳＹＮＣ信号の少なくとも１つを中断する同期デイスエーブル手段とを具備している。」（第３頁第９行目ないし第１５行目）、「ＭＰＭ命令は各タイマー中断に関してタイムアウトカウンタを促進し、それぞれ監視された中断に関してカウントを最初の値にリセットする。ＭＰＭタイムカウン夕の最初の値は固定されてもよく、或いは調節可能であってもよい。ＭＰＭタイムアウトカウンタが監視された中断の停止により予め設定されたオーバーフロー値に達した場合、ＨＳＹＮＣエネーブル装置１２４およびＶＳＹＮＣエネーブル装置１２６の制御の状態を変化して、水平同期発生器１２２によって生成された水平同期信号（ＨＳＹＮＣ）１２３、および、または垂直同期発生器１２０によって生成された垂直同期信号（ＶＳＹＮＣ）１２５、或いはそれら両者の出力をディスエーブルする命令が実行される。」（第７頁第４行目ないし第１５行目）、「前記入力手段の不活性の期間を測定し、入力中断時にゼロにリセットして、予め設定されたオーバーフロー値でオーバーフロー信号を供給するように構成されたタイミング手段と、前記タイミング手段のオーバーフロー状態にしたがってモニ夕に対するＨＳＹＮＣおよびＶＳＹＮＣ信号の少なくとも１つを中断する同期デイスエーブル手段と、」（特許請求の範囲請求項１）、「前記入力手段の不活性のタイミング期間の間前記システム容器と関連し、入力中断時にゼロにリセットして、予め設定されたオーバーフロー値でオーバーフロー信号を供給するように構成されたタイミング手段と、前記システムの容器と関連し、前記タイミング手段のオーバーフロー状態にしたがってモニ夕に対する水平同期（ＨＳＹＮＣ）信号および垂直同期（ＶＳＹＮＣ）信号の少なくとも１つを中断する同期信号ディスエーブル手段と、」（特許請求の範囲請求項１５）、「前記タイミング手段中に累積された第１の予め設定された時間間隔でビデオ表示モニタへのＶＳＹＮＣおよびＨＳＹＮＣ信号の少なくとも１つのディスエーブルに基づいて前記ビデオ表示モニタに第１の電力レベル信号を供給し、前記タイミング手段中に累積された第２の予め設定された時間間隔で、第１の電力レベル信号を供給するのとは異なる形態で前記ＶＳＹＮＣおよびＨＳＹＮＣ信号の少なくとも１つのディスエーブルに基づいて前記ビデオ表示モニタに第２の電力レベル信号を供給し、」（特許請求の範囲請求項１６）の記載があり、これら記載を総合的に勘案すると、「入力装置の異なる不活性期間の検出する」を示唆する記載があるものと認められる。この点において、訂正後の請求項１ないし４６に係る発明は、出願翻訳文等に記載された発明以外の発明であるとはいえず、特許法第１８４条の１４の規定の発明に該当しない。
　
（ｄ）ＶＧＡ標準信号において電力管理信号を符号化することについて
　本件出願翻訳文等に、「ＶＧＡ標準信号において２つ以上ある電力管理信号の少なくとも１つを符号化するように」、「ＶＧＡ標準信号において符号化された、コンピュータからの２つ以上ある電力管理信号の任意の１つを選択的に検出する」の明示的記載はないが、本件出願翻訳文に「信号は、技術的に知られているように、ＶＧＡケーブル１２７でモニ夕に送信される。」（第８頁第１行目ないし第２行目）、「図１は、３つの状態に調節するためにモニ夕に信号を送るために３つの異なる信号をモニ夕に供給することができる本発明の好ましい実施例の機能素子を示す。本発明の１実施例において、その状態はモニ夕電力管理（ＭＰＭ）の選択されたレベルである。モニ夕への信号は、ＨＳＹＮＣおよびＶＳＹＮＣ信号の一方または他方、或は両方を中断することに基づいている。」（第６頁第８行目ないし第１４行目）、「モニタにＭＰＭ状態変化を通信する別の方法は、ＨＳＹＮＣまたはＶＳＹＮＣにおける周波数変化の時間ベースの符号化されたシーケンス、カラー信号中の符号化された値を含むか、または長期間に対するカラー信号が含まれないことを利用する。」（第１３頁第２行目ないし第６行目）の記載があり、これら記載及びＶＧＡがパソコンの標準的なグラフィック表示規格であることを総合的に勘案すると、「ＶＧＡ標準信号において２つ以上ある電力管理信号の少なくとも１つを符号化するように」、「ＶＧＡ標準信号において符号化された、コンピュータからの２つ以上ある電力管理信号の任意の１つを選択的に検出する」を示唆する記載があるものと認められる。この点において、訂正された請求項１ないし４６に係る発明は、出願翻訳文等に記載された発明以外の発明でるとはいえず、特許法第１８４条の１４の規定の発明に該当しない。
　
（ｅ）カラー信号、ＶＳＹＮＣ信号およびＨＳＹＮＣ信号との異なる組合わせで中断することについて
　本件出願翻訳文等に、「カラー信号、ＶＳＹＮＣ信号およびＨＳＹＮＣ信号をモニタに供給し、この供給された信号を異なる組合わせで中断するように構成された」、「前記供給される制御信号は、中断されるＨＳＹＮＣ信号、ＶＳＹＮＣ信号またはカラー信号の異なる組合わせであり、」の明示的記載はないが、本件出願翻訳文に「図１は、３つの状態に調節するためにモニ夕に信号を送るために３つの異なる信号をモニ夕に供給することができる本発明の好ましい実施例の機能素子を示す。本発明の１実施例において、その状態はモニ夕電力管理（ＭＰＭ）の選択されたレベルである。モニ夕への信号は、ＨＳＹＮＣおよびＶＳＹＮＣ信号の一方または他方、或は両方を中断することに基づいている。」（第６頁第８行目ないし第１４行目）、「ＨＳＹＮＣ信号１２３およびＶＳＹＮＣ信号１２５は、Ｄ／Ａ変換器１１９からＲ、Ｇ、Ｂ信号等のその他の信号と共にインターフェース１２１に送られる。信号は、技術的に知られているようにＶＧＡケーブル１２７でモニタに送信される。」（第７頁第２４行目ないし第８頁第２行目）、「モニタにＭＰＭ状態変化を通信する別の方法は、ＨＳＹＮＣまたはＶＳＹＮＣにおける周波数変化の時間ベースの符号化されたシーケンス、カラー信号中の符号化された値を含むか、または長期間に対するカラー信号が含まれないことを利用する。」（第１３頁第２行目ないし第６行目）との記載があり、これら記載を総合的に勘案すると、「カラー信号、ＶＳＹＮＣ信号およびＨＳＹＮＣ信号をモニタに供給し、この供給された信号を異なる組合わせで中断するように構成された」、「前記供給される制御信号は、中断されるＨＳＹＮＣ信号、ＶＳＹＮＣ信号またはカラー信号の異なる組合わせであり、」を示唆する記載があるものと認められる。この点において、訂正後の請求項１ないし４６に係る発明は、出願翻訳文等に記載された発明以外の発明であるとはいえず、特許法第１８４条の１４の規定の発明に該当しない。
　
（２）明細書記載不備について
（ａ）特許請求の範囲請求項３７（訂正前請求項５３）
　上記訂正事項ｂによって、請求項３７において、「前記タイミング手段」が「前記タイマー」と訂正され、その記載の不備は解消するので、請求項３７の記載に不備があるとはいえない。
　
（ｂ）特許請求の範囲請求項４０（訂正前請求項５６）
　上記（ａ）に示したとおり、請求項３７の記載に不備があるとはいえないから、請求項３７を引用している請求項４０の記載に不備があるとはいえない。
　
（３）特許法第２９条第２項違反について
（ａ）訂正後の請求項１ないし４６に係る発明について
　特許第２８４７０９９号の訂正後の請求項１ないし４６に係る発明は、訂正明細書の特許請求の範囲の請求項１ないし４６に記載された次のとおりのものである。
　
「【請求項１】ＣＰＵと、メモリと、入力装置と、モニタと、カラー信号、ＶＳＹＮＣ信号およびＨＳＹＮＣ信号をモニタに供給するビデオアダプタとを有する汎用コンピュータシステム中で、モニタによる電力使用を管理する電力管理システムおいて、前記入力装置の異なる不活性期間を検出するタイマーと、前記異なる不活性期間の検出に応答して、前記ビデオアダプタにより前記モニタに供給される信号を異なる組合わせで中断するように構成された中断回路と、前記モニタと関連し、前記ビデオアダプタにより前記モニタに供給される信号の前記中断に応答して、前記モニタ中の電力回路を選択的に遮断するように構成された電力管理回路とを具備している電力管理システム。
【請求項２】前記タイマーは、前記ＣＰＵによって実行される制御ルーチンを含み、前記中断回路は、前記ビデオアダプタに信号を送信して前記モニタに供給される信号の少なくとも１つをディスエーブルする前記ＣＰＵを備えている請求項１記載の電力管理システム。
【請求項３】前記制御ルーチンは、プログラム可能な読取り専用メモリ中のシステムＢＩＯＳにおいて与えられる請求項２記載の電力管理システム。
【請求項４】前記モニタと関連した電力管理回路は、前記ビデオアダプタによって供給される信号を監視し、１以上の前記信号の中断に応答して前記電力管理回路以外の回路による電力使用を制御する回路を備えている請求項１記載の電力管理システム。
【請求項５】電力は前記モニタに供給される１以上のカラー信号の中断に応答して前記電力管理回路以外の回路に対して減少されるが、遮断されない請求項４記載の電力管理システム。
【請求項６】電力はＨＳＹＮＣ信号およびＶＳＹＮＣ信号の一方または両方の中断に応答して電力管理回路以外の回路に対して減少される請求項４記載の電力管理システム。
【請求項７】前記入力装置はキーボード、モデムおよびポインタ装置のうち１つ以上のものを含み、前記タイマーは前記入力装置用の入力ポートでインターフェイスされた感知装置に接続されているアドオンタイムアウト制御装置を含み、前記感知装置は前記入力装置の異なる不活性期間を検出するように構成され、前記中断回路は前記ビデオアダプタによって前記モニタに供給される信号用の出力ポートにインターフェイスされた回路と、異なる不活性期間の前記検出に応答して前記ビデオアダプタによって前記モニタに供給される信号を異なる組合わせで中断する電気的に動作可能なスイッチとを含んでいる請求項１記載の電路管理システム。
【請求項８】汎用コンピュータの入力装置の異なる不活性期間を検出し、前記検出された異なる不活性期間に応答して制御信号を供給するように構成された回路と、カラー信号、ＨＳＹＮＣ信号およびＶＳＹＮＣ信号を伝送する少なくとも２つの線における電気的に動作可能なスイッチとを具備し、前記供給される制御信号は、中断されるＨＳＹＮＣ信号、ＶＳＹＮＣ信号またはカラー信号の異なる組合わせであり、モニタ中の電力使用回路への電力を減少させるための制御信号である、既存の汎用コンピュータの回路中に付加するように構成されたアドインタイムアウト制御装置。
【請求項９】汎用コンピュータの入力ホートに接続されたキーボードとモデムとポインタ装置のうち１つ以上のものを含む入力装置を有する汎用コンピュータ用のアドオンタイムアウト制御装置において、前記入力装置用の入力ポートにおいてインターフェイスされた感知装置と、カラー信号、ＨＳＹＮＣ信号およびＶＳＹＮＣ信号をビデオモニタに伝送する線における電気的に動作可能なスイッチとを具備し、前記感知装置は、前記入力装置の異なる不活性期間を検出するように構成され、前記電気的に動作可能なスイッチは、前記入力装置の不活性期間に応答して、カラー信号、ＨＳＹＮＣ信号およびＶＳＹＮＣ信号を異なる組合わせで中断することにより異なる制御信号を供給するように構成され、前記供給される制御信号は、モニタ中の電力使用回路への電力を減少させるための制御信号であるアドオンタイムアウト制御装置。
【請求項１０】モニタに信号を送信して別の電力使用状態をとらせるように構成された汎用コンピュータにおいて、ＣＰＵと、前記ＣＰＵに接続され、データおよび命令ルーチンを記憶するメモリと、前記ＣＰＵに結合され、前記コンピュータに入力を供給する利用者用の入力装置と、前記ＣＰＵに結合され、モニタ上に表示するために、カラー信号、ＨＳＹＮＣ信号およびＶＳＹＮＣ信号のうち１つ以上を含む信号を供給するビデオアダプタと、前記入力装置の異なる不活性期間を検出するタイマーと、前記異なる不活性期間の検出に応答して、前記ビデオアダプタにより前記モニタに対して供給される信号を異なる組合せで中断する中断回路とを具備し、前記異なる組み合わせで中断される信号は、モニタ中の電力使用回路への電力を減少させるための制御信号として使用される汎用コンピュータ。
【請求項１１】前記タイマーは、前記ＣＰＵによって実行される制御ルーチンを含み、前記中断回路は、前記ビデオアダプタに信号を送信して、前記モニタ上に表示するために供給される信号の１つをディスエーブルするＣＰＵを備えている請求項１０記載の汎用コピュータ。
【請求項１２】前記制御ルーチンは、プログラム可能な読取り専用メモリ中のシステムＢＩＯＳにおいて与えられる請求項１１記載の汎用コンピュータ。
【請求項１３】前記タイマーはアドインタイムアウト制御装置を備え、別記アドインタイムアウト制御装置は、前記入力装置の不活性期間を検出して、前記検出された不活性期間に応答して制御信号を供給するように構成された回路を含んでいる請求項１０記載の汎用コンピュータ。
【請求項１４】前記入力装置はキーボード、モデムおよびポインタ装置のうち１つ以上のものを含み、前記タイマーは前記入力装置用の入力ポートでインターフェイスされた感知装置に接続されているアドオンタイムアウト制御装置を含み、前記感知装置は前記入力装置の不活性期間を検出するように構成され、前記中断回路は前記ビデオアダプタによって前記モニタに供給される信号用の出力ポートにインターフェイスされた回路と、不活性期間の検出に応答してモニタ上に表示するために前記ビデオアダブタにより供給される信号の１つを中断する１以上の電気的に動作可能なスイッチとを含んでいる請求項１０記載の汎用コンピュータ。
【請求項１５】カラー信号、ＨＳＹＮＣ信号およびＶＳＹＮＣ信号をコンピュータから受信する陰極線管モニタにおいて、入力装置の異なる不活性期間の検出に応答して、カラー信号、ＨＳＹＮＣ信号およびＶＳＹＮＣ信号の異なる組合わせの不存在として符号化された、前記コンピュータからの電力管理信号を検出するように構成された検出器と、前記電力管理信号の検出に応答して、前記モニタ中の電力使用回路による電力消費量を異なる減少電力レベルに減少させるように構成された電力管理回路とを具備している陰極線管モニタ。
【請求項１６】前記電力管理回路は、全電力、オフおよび１以上の中間レベルを含む異なる電力レベルで電力を供給する請求項１５記載の陰極線管モニタ。
【請求項１７】前記検出器は、電力管理制御ルーチンを実行するマイクロ制御装置を含んでいる請求項１５記載の陰極線管モニタ。
【請求項１８】全ての信号の存在に応答して全ての電力使用回路に全電力を供給する第１の電力モードと、前記検出器、前記電力管理回路およびフィラメントヒータ以外の前記モニタ中の全ての電力使用回路への電力を遮断する第２の電力モードと、前記検出器および前記電力管理回路以外の前記モニタ中の全ての電力使用回路への電力を遮断する第３の電力モードとで動作可能である請求項１５記載の陰極線管モニタ。
【請求項１９】カラー信号、ＨＳＹＮＣ信号およびＶＳＹＮＣ信号をモニタに送信するコンピュータシステムの動作電力を節約する方法において、前記コンピュータシステムの入力装置の異なる不活性期間を感知し、前記入力装置の異なる不活性期間に応答して、前記モニタに対する信号を異なる組合わせで中断することにより前記モニタに電力管理信号を供給し、前記モニタにおいて前記電力管理信号を検出し、前記電力管理信号に応答して、前記モニタ中の電力使用回路への電路を異なる減少電力レベルに減少させるステップを含んでいる方法。
【請求項２０】前記電力を減少させるステップにおいて、前記モニタ中のフィラメントヒータへの電力が遮断される請求項１９記載の方法。
【請求項２１】前記電力を減少させるステップにおいて、電力は３つの状態で前記モニタ中の電力使用回路に供給され、第１の状態は前記モニタ中の全ての電力使用回路に全電力を供給し、第２の状態はフィラメントヒータ以外の前記モニタ中の電力使用回路への電力を遮断し、第３の状態は前記フィラメントヒータを含む前記モニタ中の電力使用回路への電力を遮断する請求項１９記載の方法。
【請求項２２】カラー信号、ＨＳＹＮＣ信号およびＶＳＹＮＣ信号をビデオモニタに供給するように構成されたコンピュータ中で、ビデオモニタに信号を送信して異なる別の電力使用状態をとらせる方法において、前記コンピュータに結合された入力装置の異なる不活性期間を検出し、異なる不活性期間に応答して、異なる別の電力使用状態をとらせるためのモニタに対する命令として、モニタへのカラー信号、ＨＳＹＮＣ信号およびＶＳＹＮＣ信号を異なる組合わせで中断するステップを含んでいる方法。
【請求項２３】カラー信号、ＨＳＹＮＣ信号およびＶＳＹＮＣ信号を受信するように構成されたビデオモニタに別の電力使用状態をとらせる方法において、入力装置の異なる不活性期間の検出に応答して生成されたコンピュータからの電力管理信号として、異なる組合わせのカラー信号、ＨＳＹＮＣ信号およびＶＳＹＮＣ信号の不存在を検出し、前記電力管理信号に応答してモニタ中の電力使用回路を異なる減少電力状態にするステップを含んでいる方法。
【請求項２４】前記検出ステップは、第１および第２の組合せの不存在信号を検出することを含み、前記異なる減少電力状態にするステップは、第１の組合せの信号の不存在の検出に応答して第１の減少電力状態を電力使用回路にとらせ、第２の組合せの信号の不存在の検出に応答して第２の減少電力状態を電力使用回路にとらせることを含む請求項２３記載の方法。
【請求項２５】前記異なる減少電力状態にするステップは、信号の不存在のないことに応答して全電力を供給し、信号の不存在の第１の組合せに応答してフィラメントヒータを除く前記電力使用回路への電力を遮断し、信号の不存在の第２の組合せに応答してフィラメントヒータを含む前記電力使用回路への電力を遮断するようにモニタ中の電力使用回路を制御することを含む請求項２３記載の方法。
【請求項２６】ＣＰＵと、メモリと、入力装置と、ビデオモニタと、カラー信号、ＶＳＹＮＣ信号およびＨＳＹＮＣ信号を含むＶＧＡ標準信号をビデオモニタに供給するビデオアダブタとを有するコンピュータシステム用の電力管理システムにおいて、前記入力装置の少なくとも第１および第２の予め定められた不活性期間を検出するように構成されたタイマー手段と、前記入力装置の前記第１および第２の予め定められた不活性期間の検出に応答して、ＶＧＡ標準信号において２つ以上ある電力管理信号の少なくとも１つを符号化するように構成された信号送信手段と、前記２つ以上ある電力管理信号の少なくとも１つに応答して、前記ビデオモニタの電力使用を２つ以上ある減少電力レベルの１つに減少させるように構成された電力管理手段とを具備するコンピュータシステム用の電力管理システム。
【請求項２７】前記タイマー手段は、前記ＣＰＵによって実行されるタイマー制御ルーチンを含む請求項２６記載の電力管理システム。
【請求項２８】前記ビデオアダプタは、前記ＶＧＡ標準信号の個々のものを異なる組合わせで中断することにより、前記２つ以上ある電力管理信号の少なくとも１つを供給する請求項２７記載の電力管理システム。
【請求項２９】前記モニタに対する第１の電力管理信号は、前記ＨＳＹＮＣ信号のみを中断することにより前記ＶＧＡ標準信号において符号化され、前記モニタに対する第２の電力管理信号は、前記ＶＳＹＮＣ信号のみを中断することにより前記ＶＧＡ標準信号において符号化される請求項２８記載の電力管理システム。
【請求項３０】前記タイマー制御ルーチンは、ＢＩＯＳにおいて与えられる請求項２７記載の電力管理システム。
【請求項３１】ＣＰＵと、メモリと、入力装置と、ビデオモニタと、カラー信号、ＶＳＹＮＣ信号およびＨＳＹＮＣ信号を含むＶＧＡ標準信号をビデオモニタに供給するビデオアダブタとを有するコンピュータシステムの動作における電力を節約する方法において、前記入力装置の少なくとも第１および第２の予め定められた不活性期間を検出し、前記第１および第２の予め定められた不活性期間に応答して、ＶＧＡ標準信号において２つ以上ある電力管理信号の少なくとも１つを符号化し、前記２つ以上ある電力管理信号の少なくとも１つに応答して、前記ビデオモニタの電力使用を２つ以上ある減少電力レベルの１つに減少させるステップを含むコンピュータシステムの動作における電力を節約する方法。
【請求項３２】前記検出ステップにおいて、前記入力装置の活性はタイミング制御ルーチンを実行する前記ＣＰＵにより監視される請求項３１記載の方法。
【請求項３３】前記符号化ステップにおいて、前記ビデオアダブタは、前記ＶＧＡ標準信号の個々のものを異なる組合わせで中断することにより、前記２つ以上ある電力管理信号の少なくとも１つを供給する請求項３１記載の方法。
【請求項３４】前記符号化ステップにおいて、前記モニタに対する第１の電力管理信号は、前記ＨＳＹＮＣ信号のみを中断することにより前記ＶＧＡ標準信号において符号化され、前記モニタに対する第２の電力管理信号は、前記ＶＳＹＮＣ信号のみを中断することにより前記ＶＧＡ標準信号において符号化される請求項３３記載の方法。
【請求項３５】前記タイミング制御ルーチンは、ＢＩＯＳにおいて与えられる請求項３２記載の方法。
【請求項３６】中央処理装置（ＣＰＵ）と、前記ＣＰＵに接続されデータおよび命令ルーチンを記憶するメモリと、前記ＣＰＵに接続され前記コンピュータに対して入力を供給する利用者用の入力装置と、前記ＣＰＵに結合され、カラー信号、ＨＹＳＮＣ信号およびＶＳＹＮＣ信号を含むＶＧＡ標準信号を表示モニタに供給するビデオアダプタとを有するコンピュータにおいて、前記入力装置の少なくとも第１および第２の予め定められた不活性期間を検出するように構成されたタイマーと、前記入力装置の前記少なくとも第１および第２の予め定められた不活性期間に応答して、ＶＧＡ標準信号において２つ以上ある電力管理信号の少なくとも１つを符号化するように構成された信号送信手段とをさらに具備し、前記電力管理信号は、モニタ中の電力使用回路への電力を減少させるための電力管理信号であるコンピュータ。
【請求項３７】前記タイマーは、前記ＣＰＵによって実行されるタイマー制御ルーチンを含む請求項３６記載のコンピュータ。
【請求項３８】前記ビデオアダプタは、前記ＶＧＡ標準信号の個々のものを異なる組合わせで中断することにより、前記２つ以上ある電力管理信号の少なくとも１つを供給する請求項３６記載のコンピュータ。
【請求項３９】前記モニタに対する第１の電力管理信号は、前記ＨＳＹＮＣ信号のみを中断することにより前記ＶＧＡ標準信号において符号化され、前記モニタに対する第２の電力管理信号は、前記ＶＳＹＮＣ信号のみを中断することにより前記ＶＧＡ標準信号において符号化される請求項３８記載のコンピュータ。
【請求項４０】前記タイマー制御ルーチンは、ＢＩＯＳにおいて与えられる請求項３７記載のコンピュータ。
【請求項４１】カラー信号、ＨＹＳＮＣ信号およびＶＳＹＮＣ信号を含むＶＧＡ標準信号をホストコンピュータから受信する手段を含むビデオモニタにおいて、入力装置の異なる不活性期間の検出に応答してＶＧＡ標準信号において符号化された、コンピュータからの２つ以上ある電力管理信号の任意の１つを選択的に検出するように構成された検出手段と、前記２つ以上ある電力管理信号の少なくとも１つの検出に応答して、前記ビデオモニタの電力使用を２つ以上ある減少電力レベルの１つに減少させるように構成された電力管理手段とを具備するビデオモニタ。
【請求項４２】前記検出手段は、異なる組合わせで中断されたＶＧＡ標準信号として、前記２つ以上ある電力管理信号を識別するように構成されている請求項４１記載のビデオモニタ。
【請求項４３】前記検出手段は、前記モニタに対する第１の電力管理信号として、ＶＧＡ標準信号中でＨＳＹＮＣ信号だけが中断されたもの、前記モニタに対する第２の電力管理信号として、ＶＧＡ標準信号中でＶＳＹＮＣ信号だけが中断されたものの組合わせを識別する請求項４２記載のビデオモニタ。
【請求項４４】カラー信号、ＨＹＳＮＣ信号およびＶＳＹＮＣ信号を含むＶＧＡ標準信号をホストコンピュータから受信する手段を含むビデオモニタに別の電力使用状態をとらせる方法において、入力装置の異なる不活性期間の検出に応答してＶＧＡ標準信号において符号化された、コンピュータからの２つ以上ある電力管理信号の任意の１つを選択的に検出し、前記２つ以上ある電力管理信号の少なくとも１つの検出に応答して、前記ビデオモニタの電力使用回路に２つ以上ある減少電力状態の１つをとらせるステップを含む方法。
【請求項４５】前記選択的に検出するステップにおいて、前記検出手段は、異なる組合わせで中断されたＶＧＡ標準信号として、前記２つ以上ある電力管理信号を識別する請求項４４記載の方法。
【請求項４６】前記検出手段は、前記モニタに対する第１の電力管理信号として、ＶＧＡ標準信号中でＨＳＹＮＣ信号だけが中断されたもの、前記モニタに対する第２の電力管理信号として、ＶＧＡ標準信号中でＶＳＹＮＣ信号だけが中断されたものの組合わせを識別する請求項４５記載の方法。」
　
（ｂ）刊行物に記載された発明
　
刊行物１：「ＩＮＣＲＥＡＳＩＮＧ　ＬＩＦＥＴＩＭＥ　ＡＮＤ　ＲＥＬＩＡＢＩＬＩＴＹ　ＯＦ　ＣＲＴ　ＤＩＳＰＬＡＹＳ」、ＩＢＭ　Ｔｅｃｈｎｉｃａｌ　Ｄｉｓｃｌｏｓｕｒｅ　Ｂｕｌｌｅｔｉｎ、特許庁資料館平成４年２月１３日受入，Ｖｏｌ．３４、Ｎｏ．９、ｐ．２８１−２８３
刊行物２：Ｅｎｅｒｇｙ　ｅｆｆｉｃｉｅｎｃｙ　ｉｎ　ｏｆｆｉｃｅ　ｅｑｕｉｐｍｅｎｔ、Ａ　Ｓｗｅｄｉｓｈ　Ｖｉｅｗ、Ｓｔｏｃｋｈｏｌｍ＆Ｕｒｂａｎａ、１９９２年６月
刊行物３：特開平３−２３８５１６号公報
刊行物４：特開平１−３００２９６号公報　
刊行物５：米国特許第４９３３７８５号明細書
刊行物６：米国特許第５８２１９２４号明細書
刊行物７：特表平８−５０８８３１号公報
　
　刊行物１は、特許異議申立人高橋喜美夫の甲第１号証であるが、コンピュータの入力装置が一定期間不使用のときにモニタの消費電力を低減する技術に関するもので、「システム・ソフトウエアが要求に応じてディスプレイの全て又は一部への電力供給を停止することができる。」（第２８１頁第４ないし５行目）、「キーボードが一定期間不便用のときにスクリーンを非表示状態にするソフトウエアがあり、蛍光体の損傷が防止される。キーを押すと元の画像が再び表示される。」（第２８１頁第７ないし９行目）、「ディスプレイが追加の論理回路を有し、その回路はＰＣからのＳＹＮＣ信号の一方又は両方が停止していて、ディスプレイは依然としてＰＣに接続されているという状態を検知する。」（第２８１頁第１７ないし２０行目）、「ＳＹＮＣパルスを停止することができて、これはソフトウエアによってＣＲＴコントローラを遮断することにより行える」（第２８１頁第２２ないし２４行目）、「ＳＹＮＣ信号が停止され、テストラインがローの状態であることを論理回路が検知したときは、ディスプレイ内の回路の大部分はパワーダウンされ、ディスプレイの消費電力は低下する。消磁ＰＴＣとスタンバイ回路のみは動作状態となる。ＣＲＴヒータは通常より低レベルの状態に保つようにしても良い。」（第２８２頁第３ないし７行目）、「最後のキーストロークから一定期間、典型的には５分間、経過するとＳＹＮＣパルスを停止させるソフトウエアをＰＣに内蔵できる。ディスプレイはＳＹＮＣ信号が停止し、ディスプレイがまだＰＣに接続されていることを検知する。」（第２８２頁第１０ないし１３行目）、「ディスプレイは停止し、スタンバイ回路と、ことによれば低電流状態のＣＲＴヒータはオンのままである」（第２８２頁第１５ないし１６行目）、「Ｆｉｇ．１に実装用の技術が示されている。ロジック回路は恒常的にオン状態の小さなスタンバイ電源から電力を供給されている。」（第２８３頁第１ないし３行目）、「ここでは電源は恒常的に通常状態で動作する。ｓｙｎｃ／ｔｅｓｔ信号のラインがロー状態であることが検知されると、ヒータ電圧が下げられ、またビーム電流が停止される。ヒータ電圧が低いときにビーム電流が流れると、急速な経年変化が生じる。ビーム電流はグリッドの一方を低電圧にすることで停止できる。」（第２８３頁第２２ないし２７行目）が記載されている。
　即ち、刊行物１には、入力装置が一定期間不便用であることを検出するソフトウエア手段、このときモニタへのＨＳＹＮＣ、ＶＳＹＮＣ信号の一方又は両方を中断するソフトウエア・ＣＲＴコントローラ手段、ＳＹＮＣ信号の中断に対応してモニタの消費電力を制御する制御手段（「論理回路」）が示され、また、ヒータ電流を流した省電力状態とモニタの全てをオフにする状態の双方があることが示され、さらに、省電力状態であっても入力装置の不使用を検出する手段、ＳＹＮＣ信号を中断する手段、モニタの消費電力制御手段が動作状態であることが開示されている。
　
　刊行物２には、「より優れたカラー及びグラフィック用或いは大型スクリーンサイズの要望に対処するため比較的消費電力の高い（１００ワット以上）の新規ＣＲＴ表示装置の生産が開始された。我々としては、今後も５年くらいは従来ＣＲＴ技術が市場優位性を維持してゆき、この間に供給されるいくつかの表示装置は今世紀末までは使用されてゆくものと考える。
　
要件
　ＭＰＲＩＩ に定められた要件に加え、自己適応型モニター要件が適用されるようになってゆくだろう。視覚エルゴノミクスに関する要件が加えられる。
　
　モニターは以下の機能を具備する必要がある。
　
　自動スタンバイ
　最後のキー操作から少なくとも５分から１時間調整可能なもの。
　−キーボード操作が再開された場合、
　−コンピュータからのメッセージ又は、例えばネットワークからメッセージがあった場合
　モニターが３秒以内に表示を行う。
　自動スタンバイ機能が不要
　−モニターの電力消費が２５ワット未満
　
　自動電源オフ
　キーボード操作が６０分十／−１０分間行われない場合、電源オフ。
　この状態は、電源が切れることを意味する。
　しかし、最大５ワットの電力消費は受容しうる。
　−キーボード操作が再開された場合、
　−コンピュータからのメッセージ又は、例えばネットワークからメッセージがあった場合
　モニター表示を行う。
　モニター表示までの時間は、通常の電源オン或いはこれと同様とし、電源オンは、キーボード操作のほかモニター前面に設けたボタン操作でこれを行うこともできる。
　 端末環境において、自動ＬＯＧ　ＯＦＦは電源ＯＦＦより先に行う。
　
　電力消費
　できるだけ低いものとする。スタンバイ状態での電力消費は通常作動時（画面がＨでいっぱいになった状態）の最大３０%とし、最高絶対限度でも６０ワットとする。
　
限定事項
　自動機能は、モニター寿命に大きな影響を与えるものであってはならない。
　自己適応モニターはシステム上或いは個別に操作が行われるコンピュータの機能に影響を与えるものであってはならない。
ＥＭＣ
　現在の基準が適用される。
　省電力のためのインパルス
　モニターにおける省電力のためのインパルスは、ビデオケーブルを介して意味のある完全な黒信号あるいは全く信号がないことにより与える（同期信号なし）。
　以下の時間が標準である。
　スタンバイ　　３分
　電源オフ　　　５分」（第４頁第４行目ないし第６頁第１０行目）が記載されている。
　
　刊行物３は、特許異議申立人高橋喜美夫の甲第２号証であるが、ＰＯＳ端末装置の入力手段の操作が所定時間中断されたときにＣＲＴの消費電力を低減する技術、特に入力手段の操作中断時間に応じてＣＲＴの消費電力を段階的に制御することに関するものであり、「１．キー入力手段と、所定輝度で情報を表示する表示手段とを含むＰＯＳ端末装置であって、キー入力手段についての操作が所定時間断状態となったとき所定輝度より低い輝度で情報を表示するよう制御する輝度制御手段を有することを特徴とするＰＯＳ端末装置」（特許請求の範囲）、「操作中断時間に応じて多段階に輝度を順次低下させてゆく方式も考えられる」（第２頁左下欄第９ないし１０行目）、「本発明は、キーボードの操作が所定時間行われていないときにＣＲＴの輝度を下げるように制御することにより、消費電力を抑え、ＣＲＴの焼き付きを防ぎ、さらにＣＲＴの寿命を延ばすことができるという効果がある」（第２頁右下欄第３ないし７行目）が記載されている。
　
　刊行物４は、特許異議申立人高橋喜美夫の甲第３号証であるが、ＨＳＹＮＣ，ＶＳＹＮＣの極性を組合せにより表示装置を制御する技術に関するものであり、「（１）ＣＲＴディスプレイの表示タイミングでプラズマディスプレイに信号を送出し、プラズマディスプレイを複数種の表示解像度で表示ドライブ制御するプラズマディスプレイの表示制御方式であって、上記プラズマディスプレイに、上記表示解像度を垂直同期信号と水平同期信号の極性で判別する手段と、同手段で判別した表示解像度により電極を駆動制御する手段とを具備してなることを特徴とするプラズマディスプレイの制御方式」（特許請求の範囲）、「プラズマディスプレイ４に供給される垂直同期信号（ＶＳＹＮＣ）と水平同期信（ＨＳＹＮＣ）に関しては表示解像度（ここでは６４０＊４８０ドット／６４０＊４００ドット／６４０＊３５０ドットの３種：第７図参照）に応じてそれぞれ正極性又は負極性の信号が選択的に供給される（第６図参照）」（２頁右下欄５行ないし１０行）、「１５は垂直同期信号（ＶＳＹＮＣ）と水平同期信号（ＨＳＹＮＣ）の正／負極性（第６図参照）から表示画面の表示解像度（第７図参照）を判別し、モード切替信号（ＭＳ）を出力するとともに、各種の内部クロック（ＭＣ）を生成するモード判別／クロックジェネレータである」（３頁左上欄１３行ないし１８行）が記載されている。
　
　刊行物５は、特許異議申立人高橋喜美夫の甲第４号証であるが、「２つの省電力モードを有しており、これらはパワー消費レベルと復帰のための応答時間とにより区別される。」（１５欄３７行ないし４０行）、「図示された実施例では、この第１のモードでの消費電力は約１．６Ｗに低下する。この第１の省電力モードにはそれと関連してデフオルトの時間があるこれは、最後のディスクアクセスから決められた時間が経過した後に、この第１の省電力モードが呼び出されるということである。デフオルトの時間は例えば２〜５秒として良い。」（１５欄５０行ないし５６行）、「第２の省電力モードは、ディスクコントローラ１８１とディスクドライブインタフエースコントローラ１８０以外、Ｆｉｇ．９、１０に図示された全ての電子機器をシャツトダウンし、消費電力は０．１Ｗに低減する。この第２のモードにもデフオルトの時間があって、最後のディスクアクセスから１５ないし２５秒の範囲が好ましい」（１５欄６４行ないし１６欄２行）が記載されている。
　
　刊行物６は、特許異議申立人高橋喜美夫の参考資料１であるが、本件出願後１９９８年１０月１３日に頒布されたものであり、「ディスプレイモニタのみが使用中に大量の電力を消費する唯一のコンピュータ周辺装置ではない。レーザプリンタがもう一つの例である。大容量記憶装置のような他の周辺装置も、電気ヒータをもつ装置ほどではないが、フル使用時でないときに電力を消費する」（１欄６３行ないし２欄１行）が記載されている。
　
　刊行物７は、特許異議申立人高橋喜美夫の参考資料２であるが、本件出願後平成８年９月１７日に頒布された本件特許の公表特許公報である。
　
（ｃ）対比・判断
（ｃ−１）訂正後の請求項１について
　訂正後の請求項１に係る発明（以下「訂正発明１」という）は、刊行物１に記載された発明（以下「刊行物１発明」という）と比較すると、（ア）訂正発明１は、中断回路が、ビデオアダプタによりモニタに供給される信号である、カラー信号，ＶＳＹＮＣ信号及びＨＳＹＮＣ信号を異なる組合せで中断するように構成されているのに対し、刊行物１発明は、ＣＲＴコントローラを遮断して、ＶＳＹＮＣ信号及びＨＳＹＮＣ信号の一方又は両方の停止させる、又はテストラインがロー状態とする構成としている点、（イ）訂正発明１は、電力管理回路が、ビデオアダプタによりモニタに供給される信号、即ち、カラー信号，ＶＳＹＮＣ信号及びＨＳＹＮＣ信号を異なる組合せでの中断に応答して、モニタ中の電力回路を選択的に遮断するように構成されているのに対し、刊行物１発明は、追加の論理回路が、ＶＳＹＮＣ信号及びＨＳＹＮＣ信号の一方又は両方の停止、又はテストラインがロー状態に応答して、モニタ中の電力回路を制御するように構成されている点で相違している。
　そこで上記相違点ア及びイを検討すると、刊行物２に「モニターにおける省電力のためのインバルスは、ビデオケーブルを介して意味のある完全な黒信号あるいは全く信号がないことにより与える（同期信号なし）。」との記載があるが、上記相違点ア及びイの「中断回路が、ビデオアダプタによりモニタに供給される信号である、カラー信号，ＶＳＹＮＣ信号及びＨＳＹＮＣ信号を異なる組合せで中断するように構成されている」及び「電力管理回路が、ビデオアダプタによりモニタに供給される信号、即ち、カラー信号，ＶＳＹＮＣ信号及びＨＳＹＮＣ信号を異なる組合せでの中断に応答して、モニタ中の電力回路を選択的に遮断するように構成されている」ということまで示唆したものではない。
　また、刊行物３ないし５には、上記相違点ア及びイの構成について記載もされていないし、示唆もされていない。
　刊行物１ないし５に記載された発明を見ると、当該技術分野においては、モニタの簡易な電力管理をするために「ＶＳＹＮＣ信号及びＨＳＹＮＣ信号」あるいは、「カラー信号」のどちらか一方をモニタの制御信号として用いることはあるものの、モニタにより複雑な電力管理をする必要性、そしてそのための制御信号としてこれらカラー信号，ＶＳＹＮＣ信号及ＨＳＹＮＣ信号びを組み合わせて用いる必要性があったという証拠及び理由がないから、刊行物１ないし５に記載された発明を組み合わせたとしても、カラー信号，ＶＳＹＮＣ信号及びＨＳＹＮＣ信号を異なる組合せで中断して電力管理の制御信号とする着想に想到することは容易であるといえない。
　なお、訂正後の明細書には、異議申立人高橋喜美夫の主張する要旨変更に関する記載が削除されているので、訂正発明１に特許法旧第４０条が適用される理由もなく、刊行物６，７を、公知文献として扱うことはできない。
　そして、上記相違点ア及びイの構成により、訂正発明１は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明１は、刊行物１ないし５に記載された発明に基づいて、当業者が容易に発明をすることができたとすることはできない。
　
（ｃ−２）訂正後の請求項２ないし７について
　訂正後の請求項２ないし７に係る発明は、それぞれ、訂正発明１を、直接的に或いは間接的に引用し、その構成を更に限定したものであるから、上記（ｃ−１）訂正後の請求項１についてで述べた理由と同様な理由で、刊行物１ないし５に記載された発明に基づいて、当業者が容易に発明をすることができたとすることはできない。
　
（ｃ−３）訂正後の請求項８について
　訂正後の請求項８に係る発明（以下、「訂正発明８」という。）は、刊行物１発明と対比すると、供給される制御信号が、訂正発明８は、中断されるＨＳＹＮＣ信号、ＶＳＹＮＣ信号またはカラー信号の異なる組合わせであるのに対し、刊行物１発明は、その組合せで無い点で相違しており、この相違点は、刊行物２ないし５に記載されておらず、示唆もされていない。また、この相違点の構成により、訂正発明８は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明８は、刊行物１ないし５に記載された発明に基づいて、当業者が容易に発明をすることができたとすることはできない。
　
（ｃ−４）訂正後の請求項９について
　訂正後の請求項９に係る発明（以下、「訂正発明９」という。）は、刊行物１発明と対比すると、電気的に動作可能なスイッチが、訂正発明９は、カラー信号、ＨＳＹＮＣ信号およびＶＳＹＮＣ信号の異なる組合わせで中断することにより異なる制御信号を供給するように構成されているのに対し、刊行物１発明は、その構成が無い点で相違しており、この相違点は、刊行物２ないし５に記載されておらず、示唆もされていない。また、この相違点の構成により、訂正発明９は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明９は、刊行物１ないし５に記載された発明に基づいて、当業者が容易に発明をすることができたとすることはできない。
　
（ｃ−５）訂正後の請求項１０について
　訂正後の請求項１０に係る発明（以下、「訂正発明１０」という。）は、刊行物１発明と対比すると、中断回路が、訂正発明１０は、ビデオアダプタにより前記モニタに対して供給される信号を異なる組合せで中断するのに対し、刊行物１発明は、その構成が無い点で相違しており、この相違点は、刊行物２ないし５に記載されておらず、示唆もされていない。また、この相違点の構成により、訂正発明１０は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明１０は、刊行物１ないし５に記載された発明に基づいて、当業者が容易に発明をすることができたとすることはできない。
　
（ｃ−６）訂正後の請求項１１ないし１４について
　訂正後の請求項１１ないし１４に係る発明は、それぞれ、訂正発明１０を、直接的に或いは間接的に引用し、その構成を更に限定したものであるから、上記（ｃ−５）訂正後の請求項１０についてで述べた理由と同様な理由で、刊行物１ないし５に記載された発明に基づいて、当業者が容易に発明をすることができたとすることはできない。
　
（ｃ−７）訂正後の請求項１５について
　訂正後の請求項１５に係る発明（以下、「訂正発明１５」という。）は、刊行物１発明と対比すると、検出器が、訂正発明１５は、カラー信号、ＨＳＹＮＣ信号およびＶＳＹＮＣ信号の異なる組合わせの不存在として符号化された、コンピュータからの電力管理信号を検出するように構成されるのに対し、刊行物１発明は、その構成が無い点で相違しており、この相違点は、刊行物２ないし５に記載されておらず、示唆もされていない。また、この相違点の構成により、訂正発明１５は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明１５は、刊行物１ないし５に記載された発明に基づいて、当業者が容易に発明をすることができたとすることはできない。
　
（ｃ−８）訂正後の請求項１６ないし１８について
　訂正後の請求項１６ないし１８に係る発明は、それぞれ、訂正発明１５を引用し、その構成を更に限定したものであるから、上記（ｃ−７）訂正後の請求項１５についてで述べた理由と同様な理由で、刊行物１ないし５に記載された発明に基づいて、当業者が容易に発明をすることができたとすることはできない。
　
（ｃ−９）訂正後の請求項１９について
　訂正後の請求項１９に係る発明（以下、「訂正発明１９」という。）は、刊行物１発明と対比すると、訂正発明１９は、モニタに対する信号を異なる組合わせで中断することにより前記モニタに電力管理信号を供給するのに対し、刊行物１発明は、その構成が無い点で相違しており、この相違点は、刊行物２ないし５に記載されておらず、示唆もされていない。また、この相違点の構成により、訂正発明１９は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明１９は、刊行物１ないし５に記載された発明に基づいて、当業者が容易に発明をすることができたとすることはできない。
　
（ｃ−１０）訂正後の請求項２０ないし２１について
　訂正後の請求項２０ないし２１に係る発明は、それぞれ、訂正発明１９を引用し、その構成を更に限定したものであるから、上記（ｃ−９）訂正後の請求項１９についてで述べた理由と同様な理由で、刊行物１ないし５に記載された発明に基づいて、当業者が容易に発明をすることができたとすることはできない。
　
（ｃ−１１）訂正後の請求項２２について
　訂正後の請求項２２に係る発明（以下、「訂正発明２２」という。）は、刊行物１発明と対比すると、訂正発明２２は、モニタに対する命令として、モニタへのカラー信号、ＨＳＹＮＣ信号およびＶＳＹＮＣ信号を異なる組合わせで中断するステップを含むのに対し、刊行物１発明は、その構成が無い点で相違しており、この相違点は、刊行物２ないし５に記載されておらず、示唆もされていない。また、この相違点の構成により、訂正発明２２は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明２２は、刊行物１ないし５に記載された発明に基づいて、当業者が容易に発明をすることができたとすることはできない。
　
（ｃ−１２）訂正後の請求項２３について
　訂正後の請求項２３に係る発明（以下、「訂正発明２３」という。）は、刊行物１発明と対比すると、訂正発明２３は、コンピュータからの電力管理信号として、異なる組合わせのカラー信号、ＨＳＹＮＣ信号およびＶＳＹＮＣ信号の不存在を検出するのに対し、刊行物１発明は、その構成が無い点で相違しており、この相違点は、刊行物２ないし５に記載されておらず、示唆もされていない。また、この相違点の構成により、訂正発明２３は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明２３は、刊行物１ないし５に記載された発明に基づいて、当業者が容易に発明をすることができたとすることはできない。
　
（ｃ−１３）訂正後の請求項２４ないし２５について
　訂正後の請求項２４ないし２５に係る発明は、それぞれ、訂正発明２３を、引用し、その構成を更に限定したものであるから、上記（ｃ−１２）訂正後の請求項２３についてで述べた理由と同様な理由で、刊行物１ないし５に記載された発明に基づいて、当業者が容易に発明をすることができたとすることはできない。
　
（ｃ−１４）訂正後の請求項２６について
　訂正後の請求項２６に係る発明（以下、「訂正発明２６」という。）は、刊行物１発明と対比すると、訂正発明２６は、ＶＧＡ標準信号において２つ以上ある電力管理信号の少なくとも１つを符号化するように構成された信号送信手段を備えるのに対し、刊行物１発明は、その構成が備えられていない点で相違しており、この相違点は、刊行物２ないし５に記載されておらず、示唆もされていない。また、この相違点の構成により、訂正発明２６は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明２６は、刊行物１ないし５に記載された発明に基づいて、当業者が容易に発明をすることができたとすることはできない。
　
（ｃ−１５）訂正後の請求項２７ないし３０について
　訂正後の請求項２７ないし３０に係る発明は、それぞれ、訂正発明２６を、直接的に或いは間接的に引用し、その構成を更に限定したものであるから、上記（ｃ−１４）訂正後の請求項２６についてで述べた理由と同様な理由で、刊行物１ないし５に記載された発明に基づいて、当業者が容易に発明をすることができたとすることはできない。
　
（ｃ−１６）訂正後の請求項３１について
　訂正後の請求項３１に係る発明（以下、「訂正発明３１」という。）は、刊行物１発明と対比すると、訂正発明３１は、ＶＧＡ標準信号において２つ以上ある電力管理信号の少なくとも１つを符号化するように構成されているのに対し、刊行物１発明は、その構成が無い点で相違しており、この相違点は、刊行物２ないし５に記載されておらず、示唆もされていない。また、この相違点の構成により、訂正発明３１は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明３１は、刊行物１ないし５に記載された発明に基づいて、当業者が容易に発明をすることができたとすることはできない。
　
（ｃ−１７）訂正後の請求項３２ないし３５について
　訂正後の請求項３２ないし３５に係る発明は、それぞれ、訂正発明３１を、直接的に或いは間接的に引用し、その構成を更に限定したものであるから、上記（ｃ−１６）訂正後の請求項３１についてで述べた理由と同様な理由で、刊行物１ないし５に記載された発明に基づいて、当業者が容易に発明をすることができたとすることはできない。
　
（ｃ−１８）訂正後の請求項３６について
　訂正後の請求項３６に係る発明（以下、「訂正発明３６」という。）は、刊行物１発明と対比すると、訂正発明３６は、ＶＧＡ標準信号において２つ以上ある電力管理信号の少なくとも１つを符号化するように構成された信号送信手段を備えているのに対し、刊行物１発明は、その構成を備えていない点で相違しており、この相違点は、刊行物２ないし５に記載されておらず、示唆もされていない。また、この相違点の構成により、訂正発明３６は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明３６は、刊行物１ないし５に記載された発明に基づいて、当業者が容易に発明をすることができたとすることはできない。
　
（ｃ−１９）訂正後の請求項３７ないし４０について
　訂正後の請求項３７ないし４０に係る発明は、それぞれ、訂正発明３６を、直接的に或いは間接的に引用し、その構成を更に限定したものであるから、上記（ｃ−１８）訂正後の請求項３６についてで述べた理由と同様な理由で、刊行物１ないし５に記載された発明に基づいて、当業者が容易に発明をすることができたとすることはできない。
　
（ｃ−２０）訂正後の請求項４１について
　訂正後の請求項４１に係る発明（以下、「訂正発明４１」という。）は、刊行物１発明と対比すると、訂正発明４１は、ＶＧＡ標準信号において符号化された、コンピュータからの２つ以上ある電力管理信号の任意の１つを選択的に検出するように構成された検出手段を備えているのに対し、刊行物１発明は、その構成が無い点で相違しており、この相違点は、刊行物２ないし５に記載されておらず、示唆もされていない。また、この相違点の構成により、訂正発明４１は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明４１は、刊行物１ないし５に記載された発明に基づいて、当業者が容易に発明をすることができたとすることはできない。
　
（ｃ−２１）訂正後の請求項４２ないし４３について
　訂正後の請求項４２ないし４３に係る発明は、それぞれ、訂正発明４１を、直接的に或いは間接的に引用し、その構成を更に限定したものであるから、上記（ｃ−２０）訂正後の請求項４１についてで述べた理由と同様な理由で、刊行物１ないし５に記載された発明に基づいて、当業者が容易に発明をすることができたとすることはできない。
　
（ｃ−２２）訂正後の請求項４４について
　訂正後の請求項４４に係る発明（以下、「訂正発明４４」という。）は、刊行物１発明と対比すると、訂正発明４４は、ＶＧＡ標準信号において符号化された、コンピュータからの２つ以上ある電力管理信号の任意の１つを選択的に検出するように構成されているのに対し、刊行物１発明は、その構成が無い点で相違しており、この相違点は、刊行物２ないし５に記載されておらず、示唆もされていない。また、この相違点の構成により、訂正発明４４は、モニタにＭＰＭ状態変化を通信する別の方法が実行可能となり、不活性の期間に応答して、汎用コンピュータの既存の素子および能力を最大限に使用してモニタにおいて電力を節約する方法を提供し、また放射線の放出を最小にする作用効果を奏するのである。
　したがって、訂正発明４４は、刊行物１ないし５に記載された発明に基づいて、当業者が容易に発明をすることができたとすることはできない。
　
（ｃ−２３）訂正後の請求項４５ないし４６について
　訂正後の請求項４５ないし４６に係る発明は、それぞれ、訂正発明４４を、直接的に或いは間接的に引用し、その構成を更に限定したものであるから、上記（ｃ−２３）訂正後の請求項４４についてで述べた理由と同様な理由で、刊行物１ないし５に記載された発明に基づいて、当業者が容易に発明をすることができたとすることはできない。
　
４　むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
第３　特許異議の申立てについての判断
１　申立ての理由の概要
（１）申立人日本電気株式会社
　申立人日本電気株式会社は、本件発明についての特許に対して、本件の請求項１ないし６２に係る発明は、国際出願日における原文明細書およびその出願翻訳文の双方に記載されたものではないため平成６年改正前の特許法第１８４条の１４の規定により、又は、本件明細書の発明の詳細な説明には、その発明の属する技術の分野における通常の知識を有する者が容易に実施をすることができる程度に、発明の目的、構成及び効果が記載されておらず、平成６年改正前の特許法第３６条第４項に規定される要件を満たさないため特許法第４９条の規定により、拒絶査定を受けるべき特許出願に対してされたものであるから、特許法等の一部を改正する法律の施行に伴う経過措置を定める政令（平成７年政令第２０５号）の第４条第１項および第２項の規定により、本件特許を取り消すべき決定をすべきものである旨主張している。
　
（２）申立人高橋喜美夫
　申立人高橋喜美夫は、本件発明についての特許に対して、.証拠として甲１号証（ＩＢＭ　Ｔｅｃｈｎｉｃａｌ　Ｄｉｓｃｌｏｓｕｒｅ　Ｂｕｌｌｅｔｉｎ　Ｖｏｌ．３　ＮＯ．９，１９９２年）、甲２号証（特開平３−２３８５１６号公報）、甲３号証（特開平１−３００２９６号公報）、甲４号証（Ｕ．Ｓ．Ｐａｔｅｎｔ４９３３７８５号公報）、参考資料１（Ｕ．Ｓ．Ｐａｔｅｎｔ５８２１９２４号公報）、参考資料２（特表平８−５０８８３１号公報）を提出し、本件特許は特許法２９条２項の規定に該当し、特許法１１４条２項の規定により取り消されるべき旨主張している。
　　
２　請求項１ないし４６項に係る発明
　上記第２で示したように上記訂正が認められるから、本件特許第２８４７０９９号の請求項１ないし４６に係る発明は、上記訂正請求に係る訂正明細書の特許請求の範囲の請求項１ないし４６に記載された上記第２，３，（３），（ａ）に示すとおりのものである。
　
３　判断
（１）申立人日本電気株式会社の主張についての検討
（ａ）平成６年改正前の特許法第１８４条の１４
　入力装置の異なる不活性期間の検出については、上記第２，３，（１），（ｃ）で検討したとおり、ＶＧＡ標準信号において電力管理信号を符号化することについては、上記第２，３，（１），（ｄ）で検討したとおり、フィラメントヒータに部分的な電力が供給されることについては、上記第２，３，（１），（ｂ）で検討したとおりの理由により、訂正された請求項１ないし４６に係る発明は、出願翻訳文等に記載された発明以外の発明であるとはいえず、特許法第１８４条の１４の規定の発明に該当しない。
　
（ｂ）平成６年改正前の特許法第３６条第４項
　本件明細書の「発明の詳細な説明」には、入力装置の不活性期間を検出するための具体的な構成が記載されていないとの主張であるが、発明の詳細な説明には、「入力装置の異なる不活性期間の検出する」の明示的記載はないが、本件出願翻訳文には、「このシステムは、不活性の期間を測定し、入力中断時にゼロにリセットして、予め設定されたオーバーフロー値でオーバーフロー信号を供給するように構成されたタイミング手段と、タイミング手段のオーバーフロー状態にしたがってモニ夕に対するＨＳＹＮＣおよびＶＳＹＮＣ信号の少なくとも１つを中断する同期デイスエーブル手段とを具備している。」（第３頁第９行目ないし第１５行目）、「ＭＰＭ命令は各タイマー中断に関してタイムアウトカウンタを促進し、それぞれ監視された中断に関してカウントを最初の値にリセットする。ＭＰＭタイムカウン夕の最初の値は固定されてもよく、或いは調節可能であってもよい。ＭＰＭタイムアウトカウンタが監視された中断の停止により予め設定されたオーバーフロー値に達した場合、ＨＳＹＮＣエネーブル装置１２４およびＶＳＹＮＣエネーブル装置１２６の制御の状態を変化して、水平同期発生器１２２によって生成された水平同期信号（ＨＳＹＮＣ）１２３、および、または垂直同期発生器１２０によって生成された垂直同期信号（ＶＳＹＮＣ）１２５、或いはそれら両者の出力をディスエーブルする命令が実行される。」（第７頁第４行目ないし第１５行目）と記載され、入力装置の不活性期間を検出するための構成自体は、当業者にとって、想到不可能ともいえないから、特許法３６条第４項に違反しているとまでいえない。
　また、「本件明細書は「中断」という語に関して意味不明瞭な記載を多数含んでおり、その内容を把握することができない。例えば、特許掲載公報の第１４欄第２１〜２５行目の記載などは、どのような構成を意図したものか理解できない。」との主張であるが、当業者にとって、「中断」なる技術用語は、明りょうであり、発明の詳細な説明の各々の中で、前後関係を含めて検討すれば、仮に誤記ないし不適切な表現があっても、理解不可能とまでいえず、特許法３６条第４項に違反しているとまでいえない。
　更に、「本件明細書の「発明の詳細な説明」には、請求項１４，１５，３１，３３および３５に記載されるような、フィラメントヒーターに対して部分的な電力を供給するための具体的な構成は記載されていない。」との指摘があるが、訂正後の各請求項において、フィラメントヒーターに対して部分的な電力を供給する構成は記載されておらず、この点において、許法３６条第４項に違反しているといえない。
　
（２）申立人高橋喜美夫の主張についての検討
（ａ）特許法第２９条第２項
（ａ−１）刊行物に記載された発明
　
刊行物１：「ＩＮＣＲＥＡＳＩＮＧ　ＬＩＦＥＴＩＭＥ　ＡＮＤ　ＲＥＬＩＡＢＩＬＩＴＹ　ＯＦ　ＣＲＴ　ＤＩＳＰＬＡＹＳ」、ＩＢＭ　Ｔｅｃｈｎｉｃａｌ　Ｄｉｓｃｌｏｓｕｒｅ　Ｂｕｌｌｅｔｉｎ、特許庁資料館平成４年２月１３日受入，Ｖｏｌ．３４、Ｎｏ．９、ｐ．２８１−２８３
刊行物２：Ｅｎｅｒｇｙ　ｅｆｆｉｃｉｅｎｃｙ　ｉｎ　ｏｆｆｉｃｅ　ｅｑｕｉｐｍｅｎｔ、Ａ　Ｓｗｅｄｉｓｈ　Ｖｉｅｗ、Ｓｔｏｃｋｈｏｌｍ＆Ｕｒｂａｎａ、１９９２年６月
刊行物３：特開平３−２３８５１６号公報
刊行物４：特開平１−３００２９６号公報　
刊行物５：米国特許第４９３３７８５号明細書
刊行物６：米国特許第５８２１９２４号明細書
刊行物７：特表平８−５０８８３１号公報
　
　上記刊行物１ないし７には、上記第２，３，（３），（ｂ）で示したとおりの発明が記載されいる。
　
（ａ−２）対比・判断
　本件請求項１ないし４６に係る発明は、上記２，３，（３），（ｃ），（ｃ−１）ないし（ｃ−２３）で検討した理由により、刊行物１ないし５に記載された発明に基づいて、当業者が容易に発明をなし得たとすることはできない。
　
５．むすび
　以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１３年１２月１３日（２００１．１２．１３）
【訂正の要旨】
（１）訂正事項ａ
　特許請求の範囲の請求項１５，１７，２８，３１，３３，３５，４０を、特許請求の範囲の減縮を目的として、削除する。これに伴い、請求項番号を繰り上げる。
（２）訂正事項ｂ
　特許請求の範囲の請求項５３の「タイミング手段」を「タイマー」に、誤記の訂正を目的として、訂正する。
（３）訂正事項ｃ
　特許明細書第７頁右欄第３９行目ないし同第８頁左欄第２行目の「ホストコンピュータにおいて入力活性がない異なる監視期間の結果として、異なる別の電力管理信号がモニタに送られる。モニタヘの第１の電力管理信号は、例えばＨＳＹＮＣ信号のみを中断することにより、入力活性がない第１の期間の後、例えば５分後に送られ、モニタに対してレベル１の電力モードをとるように命令する。例えば中断されたＶＳＹＮＣ信号のみから構成される第２の電力管理信号は、２０分後のような第２の期間の後に送られ、モニタに対してレベル２の電力モードをとるように命令する。例えばＨＳＹＮＣ信号とＶＳＹＮＣ信号の両方を中断することによる第３の電力管理信号は、ホストコンピュータにおいて入力活性が１時間ないような第３の期間の後に送られ、モニタにさらに別の電力レベルをとらせるように命令する。」の記載を、明りょうでない記載の釈明を目的として、削除する。
（４）訂正事項ｄ
　請求項１ないし請求項９を、特許請求の範囲の減縮を目的として、削除する。これに伴い、請求項番号を繰り上げる。
（５４）【発明の名称】
低電力消費モニタ待機システム
（５７）【特許請求の範囲】
　【請求項１】　ＣＰＵと
、
、
、
、カラー信号、ＶＳＹＮＣ信号およびＨＳＹＮＣ信号を
システム
よる電力使用を管理する電力管理
前
タイマー
前記異なる不活性期間の検出に応答して、前記ビデオアダプタにより前記モニタに供給される信号を異なる組合わせで中断するように構成された中断回路と、
前記モニタと関連し、前記ビデオアダプタにより前記モニタに供給される信号の前記中断に応答して、前記モニタ中の電力回路を選択的に遮断するように構成された電力管理回路
電力管理
　【請求項２】　前記
タイマーは、前記ＣＰＵによって実行される制御ルーチンを含み、前記中断回路は、前記ビデオアダプタに信号を送信して前記モニタに供給される信号の少なくとも１つをディスエーブルする前記ＣＰＵを備えている
電力管理
　【請求項３】　
前記制御ルーチンは、プログラム可能な読取り専用メモリ中のシステムＢＩＯＳにおいて与えられる請求項２記載の電力管理システム
　【請求項４】　前記
モニタと関連した電力管理回路は、前記ビデオアダプタによって供給される信号を監視し、１以上の前記信号の中断に応答して前記電力管理回路以外の回路による電力使用を制御する回路を備えている請求項１記載の電力管理システム
　【請求項５】　
電力は前記モニタに供給される１以上のカラー信号の中断に応答して前記電力管理回路以外の回路に対して減少されるが、遮断されない請求項４記載の電力管理システム
　【請求項６】　
電力はＨＳＹＮＣ信号およびＶＳＹＮＣ信号の一方または両方の中断に応答して電力管理回路以外の回路に対して減少される請求項４記載の電力管理システム
　【請求項７】　前記
入力装置はキーボード、モデムおよびポインタ装置のうち１つ以上のものを含み、前記タイマーは前記入力装置用の入力ポートでインターフェイスされた感知装置に接続されているアドオンタイムアウト制御装置を含み、前記感知装置は前記入力装置の異なる不活性期間を検出するように構成され、前記中断回路は前記ビデオアダプタによって前記モニタに供給される信号用の出力ポートにインターフェイスされた回路と、異なる不活性期間の前記検出に応答して前記ビデオアダプタによって前記モニタに供給される信号を異なる組合わせで中断する電気的に動作可能なスイッチとを含んでいる請求項１記載の電路管理システム
　【請求項８】　
汎用コンピュータの入力装置の異なる不活性期間を検出し、前記検出された異なる不活性期間に応答して制御信号を供給するように構成された回路と、カラー信号、ＨＳＹＮＣ信号およびＶＳＹＮＣ信号を伝送する少なくとも２つの線における電気的に動作可能なスイッチとを具備し、
前記供給される制御信号は、中断されるＨＳＹＮＣ信号、ＶＳＹＮＣ信号またはカラー信号の異なる組合わせであり、モニタ中の電力使用回路への電力を減少させるための制御信号である、既存の汎用コンピュータの回路中に付加するように構成されたアドインタイムアウト制御装置
　【請求項９】　
汎用コンピュータの入力ポートに接続されたキーボードとモデムとポインタ装置のうち１つ以上のものを含む入力装置を有する汎用コンピュータ用のアドオンタイムアウト制御装置において、
前記入力装置用の入力ポートにおいてインターフェイスされた感知装置と、カラー信号、ＨＳＹＮＣ信号およびＶＳＹＮＣ信号をビデオモニタに伝送する線における電気的に動作可能なスイッチとを具備し、
前記感知装置は、前記入力装置の異なる不活性期間を検出するように構成され、前記電気的に動作可能なスイッチは、前記入力装置の不活性期間に応答して、カラー信号、ＨＳＹＮＣ信号およびＶＳＹＮＣ信号を異なる組合わせで中断することにより異なる制御信号を供給するように構成され、
前記供給される制御信号は、モニタ中の電力使用回路への電力を減少させるための制御信号であるアドオンタイムアウト制御装置
　【請求項１０】　
モニタに信号を送信して別の電力使用状態をとらせるように構成された汎用コンピュータにおいて、
ＣＰＵと、
前記ＣＰＵに接続され、データおよび命令ルーチンを記憶するメモリと、
前記ＣＰＵに結合され、前記コンピュータに入力を供給する利用者用の入力装置と、
前記ＣＰＵに結合され、モニタ上に表示するために、カラー信号、ＨＳＹＮＣ信号およびＶＳＹＮＣ信号のうち１つ以上を含む信号を供給するビデオアダプタと、
前記入力装置の異なる不活性期間を検出するタイマーと、
前記異なる不活性期間の検出に応答して、前記ビデオアダプタにより前記モニタに
対して
中断回路とを具備し、
前記
異なる組み合わせで中断される信号は、モニタ中の電力使用回路への電力を減少させるための制御信号として使用される汎用コンピュータ
　【請求項１１】　前記タイマーは、前記ＣＰＵによって実行される制御ルーチンを含み、前記中断回路は、前記ビデオアダプタに信号を送信して
、
上に表示するために
の１
るＣ
汎用コピュータ
　【請求項１２】　前記制御ルーチンは、プログラム可能な読取り専用メモリ中のシステムＢＩＯＳにおいて与えられる請求項１１記載の
汎用コンピュータ
　【請求項１３】　前記
タイマーはアドインタイムアウト制御装置を備え、前記アドインタイムアウト制御装置は、前記入力装置の不活性期間を検出して、前記検出された不活性期間に応答して制御信号を供給するように構成された回路を含んでいる
汎用コンピュータ
　【請求項１４】　
前記入力装置はキーボード、モデムおよびポインタ装置のうち１つ以上のものを含み、前記タイマーは前記入力装置用の入力ポートでインターフェイスされた感知装置に接続されているアドオンタイムアウト制御装置を含み、前記感知装置は前記入力装置の不活性期間を検出するように構成され、前記中断回路は前記ビデオアダプタによって前記モニタに供給される信号用の出力ポートにインターフェイスされた回路と、不活性期間の検出に応答してモニタ上に表示するために前記ビデオアダプタにより供給される信号の１つを中断する１以上の電気的に動作可能なスイッチとを含んでいる請求項１０記載の汎用コンピュータ。
　【請求項１５】　
カラー信号、ＨＳＹＮＣ信号およびＶＳＹＮＣ信号をコンピュータから受信する陰極線管モニタにおいて、
入力装置の異なる不活性期間の検出に応答して、カラー信号、ＨＳＹＮＣ信号およびＶＳＹＮＣ信号の異なる組合わせの不存在として符号化された、前記コンピュータからの電力管理信号を検出するように構成された検出器と、
前記電力管理信号の検出に応答して、前記モニタ中の電力使用回路による電力消費量を異なる減少電力レベルに減少させるように構成された電力管理回路とを具備している陰極線管モニタ
　【請求項１６】　
前記電力管理回路は、全電力、オフおよび１以上の中間レベルを含む異なる電力レベルで電力を供給する請求項１５記載の陰極線管モニタ
　【請求項１７】　前記
検出器は、電力管理制御ルーチンを実行するマイクロ制御装置を含んでいる請求項１５記載の陰極線管モニタ
　【請求項１８】　
全ての信号の存在に応答して全ての電力使用回路に全電力を供給する第１の電力モードと、前記検出器、前記電力管理回路およびフィラメントヒータ以外の前記モニタ中の全ての電力使用回路への電力を遮断する第２の電力モードと、前記検出器および前記電力管理回路以外の前記モニタ中の全ての電力使用回路への電力を遮断する第３の電力モードとで動作可能である請求項１５記載の陰極線管モニタ
　【請求項１９】　
カラー信号、ＨＳＹＮＣ信号およびＶＳＹＮＣ信号をモニタに送信するコンピュータシステムの動作電力を節約する方法において、
前記コンピュータシステムの入力装置の異なる不活性期間を感知し、
前記入力装置の異なる不活性期間に応答して、前記モニタに対する信号を異なる組合わせで中断することにより前記モニタに電力管理信号を供給し、
前記モニタにおいて前記電力管理信号を検出し、
前記電力管理信号に応答して、前記モニタ中の電力使用回路への電路を異なる減少電力レベルに減少させるステップを含んでいる方法
　【請求項２０】　
前記電力を減少させるステップにおいて、前記モニタ中のフィラメントヒータヘの電力が遮断される請求項１９記載の方法
　【請求項２１】　
前記電力を減少させるステップにおいて、電力は３つの状態で前記モニタ中の電力使用回路に供給され、第１の状態は前記モニタ中の全ての電力使用回路に全電力を供給し、第２の状態はフィラメントヒータ以外の前記モニタ中の電力使用回路への電力を遮断し、第３の状態は前記フィラメントヒータを含む前記モニタ中の電力使用回路への電力を遮断する請求項１９記載の方法
　【請求項２２】　
カラー信号、ＨＳＹＮＣ信号およびＶＳＹＮＣ信号をビデオモニタに供給するように構成されたコンピュータ中で、ビデオモニタに信号を送信して異なる別の電力使用状態をとらせる方法において、
前記コンピュータに結合された入力装置の異なる不活性期間を検出し、
異なる不活性期間に応答して、異なる別の電力使用状態をとらせるためのモニタに対する命令として、モニタへのカラー信号、ＨＳＹＮＣ信号およびＶＳＹＮＣ信号を異なる組合わせで中断するステップを含んでいる方法
　【請求項２３】　
カラー信号、ＨＳＹＮＣ信号およびＶＳＹＮＣ信号を受信するように構成されたビデオモニタに別の電力使用状態をとらせる方法において、
入力装置の異なる不活性期間の検出に応答して生成されたコンピュータからの電力管理信号として、異なる組合わせのカラー信号、ＨＳＹＮＣ信号およびＶＳＹＮＣ信号の不存在を検出し、
前記電力管理信号に応答してモニタ中の電力使用回路を異なる減少電力状態にするステップを含んでいる方法
　【請求項２４】　前記
検出ステップは、第１および第２の組合せの不存在信号を検出することを含み、前記異なる減少電力状態にするステップは、第１の組合せの信号の不存在の検出に応答して第１の減少電力状態を電力使用回路にとらせ、第２の組合せの信号の不存在の検出に応答して第２の減少電力状態を電力使用回路にとらせることを含む請求項２３記載の方法
　【請求項２５】　
前記異なる減少電力状態にするステップは、信号の不存在のないことに応答して全電力を供給し、信号の不存在の第１の組合せに応答してフィラメントヒータを除く前記電力使用回路への電力を遮断し、信号の不存在の第２の組合せに応答してフィラメントヒータを含む前記電力使用回路への電力を遮断するようにモニタ中の電力使用回路を制御することを含む請求埴２３記載の方法
　【請求項２６】　
ＣＰＵと、メモリと、入力装置と、ビデオモニタと、カラー信号、ＶＳＹＮＣ信号およびＨＳＹＮＣ信号を含むＶＧＡ標準信号をビデオモニタに供給するビデオアダプタとを有するコンピュータシステム用の電力管理システムにおいて、
前記入力装置の少なくとも第１および第２の予め定められた不活性期間を検出するように構成されたタイマー手段と、
前記入力装置の前記第１および第２の予め定められた不活性期間の検出に応答して、ＶＧＡ標準信号において２つ以上ある電力管理信号の少なくとも１つを符号化するように構成された信号送信手段と、
前記２つ以上ある電力管理信号の少なくとも１つに応答して、前記ビデオモニタの電力使用を２つ以上ある減少電力レベルの１つに減少させるように構成された電力管理手段とを具備するコンピュータシステム用の電力管理システム
　【請求項２７】　
前記タイマー手段は、前記ＣＰＵによって実行されるタイマー制御ルーチンを含む
電力管理システム
　【請求項２８】　
前記ビデオアダプタは、前記ＶＧＡ標準信号の個々のものを異なる組合わせで中断することにより、前記２つ以上ある電力管理信号の少なくとも１つを供給する請求項２７記載の電力管理システム
　【請求項２９】　
前記モニタに対する第１の電力管理信号は、前記ＨＳＹＮＣ信号のみを中断することにより前記ＶＧＡ標準信号において符号化され、前記モニタに対する第２の電力管理信号は、前記ＶＳＹＮＣ信号のみを中断することにより前記ＶＧＡ標準信号において符号化される請求項２８記載の電力管理システム
　【請求項３０】　
前記タイマー制御ルーチンは、ＢＩＯＳにおいて与えられる請求項２７記載の電力管理システム
　【請求項３１】　
ＣＰＵと、メモリと、入力装置と、ビデオモニタと、カラー信号、ＶＳＹＮＣ信号およびＨＳＹＮＣ信号を含むＶＧＡ標準信号をビデオモニタに供給するビデオアダプタとを有するコンピュータシステムの動作における電力を節約する方法において、
前記入力装置の少なくとも第１および第２の予め定められた不活性期間を検出し、前記第１および第２の予め定められた不活性期間に応答して、ＶＧＡ標準信号において２つ以上ある電力管理信号の少なくとも１つを符号化し、
前記２つ以上ある電力管理信号の少なくとも１つに応答して、前記ビデオモニタの電力使用を２つ以上ある減少電力レベルの１つに減少させるステップを含むコンピュータシステムの動作における電力を節約する方法
　【請求項３２】　
前記検出ステップにおいて、前記入力装置の活性はタイミング制御ルーチンを実行する前記ＣＰＵにより監視される請求項３１記載の
　【請求項３３】　前記
符号化ステップにおいて、前記ビデオアダプタは、前記ＶＧＡ標準信号の個々のものを異なる組合わせで中断することにより、前記２つ以上ある電力管理信号の少なくとも１つを供給する
３１
　【請求項３４】　前記
符号化ステップ
に対する第１の電力管理信号は、前記ＨＳＹＮＣ信号のみを中断することにより前記ＶＧＡ標準信号において符号化され、前記モニタに対する第２の電力管理信号は、前記ＶＳＹＮＣ信号のみを中断することにより前記ＶＧＡ標準信号において符号化される
３３
　【請求項３５】　
前記タイミング制御ルーチンは、ＢＩＯＳにおいて与えられる
　【請求項３６】　
中央処理装置（ＣＰＵ）と、前記ＣＰＵに接続されデータおよび命令ルーチンを記憶するメモリと、前記ＣＰＵに接続され前記コンピュータに対して入力を供給する利用者用の入力装置と、前記ＣＰＵに結合され、カラー信号、ＨＹＳＮＣ信号およびＶＳＹＮＣ信号を含むＶＧＡ標準信号を表示モニタに供給するビデオアダプタとを有するコンピュータにおいて、
前記入力装置の少なくとも第１および第２の予め定められた不活性期間を検出するように構成されたタイマーと、
前記入力装置の前記少なくとも第１および第２の予め定められた不活性期間に応答して、ＶＧＡ標準信号において２つ以上ある電力管理信号の少なくとも１つを符号化するように構成された信号送信手段とをさらに具備し、
前記電力管理信号は、
減少させるための電力管理信号であるコンピュータ
　【請求項３７】　
前記タイマーは、前記ＣＰＵによって実行されるタイマー制御ルーチンを含む請求項３６記載のコンピュータ
　【請求項３８】　
前記ビデオアダプタは、前記ＶＧＡ標準信号の個々のものを異なる組合わせで中断することにより、前記２つ以上ある電力管理信号の少なくとも１つを供給する請求項３６記載のコンピュータ
　【請求項３９】　前記
モニタに対する第１の電力管理信号は、前記ＨＳＹＮＣ信号のみを中断することにより前記ＶＧＡ標準信号において符号化され、前記モニタに対する第２の電力管理信号は、前記ＶＳＹＮＣ信号のみを中断することにより前記ＶＧＡ標準信号において符号化される
コンピュータ
　【請求項４０】　前記
タイマー制御ルーチンは、ＢＩＯＳにおいて与えられる請求項３７記載のコンピュータ
　【請求項４１】　
カラー信号、ＨＹＳＮＣ信号およびＶＳＹＮＣ信号を含むＶＧＡ標準信号をホストコンピュータから受信する手段を含むビデオモニタにおいて、入力装置の異なる不活性期間の検出に応答してＶＧＡ標準信号において符号化された、コンピュータからの２つ以上ある電力管理信号の任意の１つを選択的に検出するように構成された検出手段と、
前記２つ以上ある電力管理信号の少なくとも１つの検出に応答して、前記ビデオモニタの電力使用を２つ以上ある減少電力レベルの１つに減少させるように構成された電力管理手段とを具備するビデオモニタ
　【請求項４２】　
前記検出手段は、異なる組合わせで中断されたＶＧＡ標準信号として、前記２つ以上ある電力管理信号を識別するように構成されている請求項４１記載のビデオモニタ
　【請求項４３】　
前記検出手段は、前記モニタに対する第１の電力管理信号として、ＶＧＡ標準信号中でＨＳＹＮＣ信号だけが中断されたもの、前記モニタに対する第２の電力管理信号として、ＶＧＡ標準信号中でＶＳＹＮＣ信号だけが中断されたものの組合わせを識別する
ビデオモニタ
　【請求項４４】　
カラー信号、ＨＹＳＮＣ信号およびＶＳＹＮＣ信号を含むＶＧＡ標準信号をホストコンピュータから受信する手段を含むビデオモニタに別の電力使用状態をとらせる方法において、
入力装置の異なる不活性期間の検出に応答してＶＧＡ標準信号において符号化された、コンピュータからの２つ以上ある電力管理信号の任意の１つを選択的に検出し、
前記２つ以上ある電力管理信号の少なくとも１つの
検出に応答して、前記ビデオモニタの電力使用回路に２つ以上ある減少電力状態の１つをとらせるステップを含む方法
　【請求項４５】　前記
選択的に検出するステップにおいて、前記検出手段は、異なる組合わせで中断されたＶＧＡ標準信号として、前記２つ以上ある電力管理信号を識別する
方法
　【請求項４６】　
前記検出手段は、前記モニタに対する第１の電力管理信号として、ＶＧＡ標準信号中でＨＳＹＮＣ信号だけが中断されたもの、前記モニタに対する第２の電力管理信号として、ＶＧＡ標準信号中でＶＳＹＮＣ信号だけが中断されたものの組合わせを識別する請求項４５記載の方法
【発明の詳細な説明】
［発明の分野］
　本発明は自動電力節約装置の分野であり、特にコンピュータビデオモニタによる電力消費量の減少に関する。
［関連した文献の参考］
　本発明は本出願の別出願第０７／９８４，３７０号明細書（１９９２年１２月２日出願）の継続出願である。
［発明の背景］
　典型的なカラービデオモニタは、パーソナルコンピュータ（ＰＣ）によって消費される全電気エネルギの５０乃至８０％を消費する。ビデオモニタは、蛍光スクリーンからの可視光放射、熱消費、電磁放射、高エネルギ放射および音響エネルギとしてこのエネルギを放散する。蛍光物質の放射だけが通常有効と考えられ、したがって活動的に観察者によって観察されている場合にのみ考慮される。放射線の放出は長期間さらされると健康上危険であるため、熱心に討論される関心事である。製造業者は、ビデオモニタからの放射線放出を減少するために多大な余分の損失をこうむる。ある者は、いくつかのモニタから生成された音響放射により悩まされている。ビデオモニタからの熱損失は、空調装置に対して付加的な負荷を与える。ビデオモニタのエネルギ効率は、ほとんど集積回路（ＩＣ）装置の使用の増加等の電子回路素子の進歩の結果として歴史的に良くなってきている。陰極線管（ＣＲＴ）技術は、エネルギ効率に関して少ししか向上していない。正規に使用されるＰＣ数は、急速に増加しており、それらが主として電力を消費する段階に達している。米国環境保護局は、新しいシステムを設計するコンピュータ製造業者の目標となる電力効率を公布している。低電圧のＩＣは使用エネルギが少なく、マイクロプロセッサ電力管理技術は、コンピュータのアイドリング時のエネルギ消費量を減少することを可能にする。ＣＲＴの適切な置換またはもっと効率的なＣＲＴが開発されるまで、パーソナルコンピュータのエネルギ効率を実質的に改良することは困難であろう。
　必要なことは、表示が誰にとっても重要ではないとコンピュータが決定したとき、ビデオモニタ中の高エネルギ消費回路を遮断する方法である。これは、モデル、マウスおよびキーボード等の入力装置の不活性期間によって決定される。多数のコンピュータおよびビデオ端末は、スクリーン蛍光物質の焼付けを回避するために移動する画像（または無画像）を表示するスクリーンブランキング回路またはプログラムを付勢するためにこのような技術を使用する。キーを押すことまたはマウスの移動等の入力装置の付勢は、前のスクリーン画像を復帰させる。この技術は、多数の新しい設計のモニタまたは“ダム”モニタ用のアドオン（ａｄｄ−ｏｎ）装置において認められるマイクロプロセッサに信号を送って、いくつかまたは全てのモニタの電力回路を遮断または復帰することによってビデオモニタ電力消費量を減少させるように拡張されることができる。この結果を達成する１つの解決手段は、現在モニタに供給された信号に付加せずに、ある選択されたレベルで遮断するようにモニタに信号を送る手段である。
［発明の要約］
　本発明の１実施例において、ＣＰＵ、メモリ手段、モニタおよび水平同期（ＨＳＹＮＣ）および垂直同期（ＶＳＹＮＣ）信号をモニタに供給するビデオ信号手段を有し、モニタに信号を送って、別の状態をとらせる汎用コンピュータ用のシステムが提供される。このシステムは、不活性の期間を測定し、入力中断時にゼロにリセットして、予め設定されたオーバーフロー値でオーバーフロー信号を供給するように構成されたタイミング手段と、タイミング手段のオーバーフロー状態にしたがってモニタに対するＨＳＹＮＣおよびＶＳＹＮＣ信号の少なくとも１つを中断する同期ディスエーブル手段とを具備している。
　１実施例において、ビデオ信号手段は、ＶＳＹＮＣ発生器およびＨＳＹＮＣ発生器を有するビデオアダプタ回路と、ビデオアダプタ回路と関連したレジスタを含むデイスエーブル手段を具備し、ここにおいてレジスタ中の１つのビットは垂直リトレース極性ビットであり、別の１ビットは水平リトレース極性ビットである。タイミング手段は、メモリ手段に記憶されたモニタ電力管理命令ルーチンにしたがってＣＰＵによって供給され、ＳＹＮＣ信号はレジスタに書込むＣＰＵによってディスエーブルされる。モニタ電力管理ルーチンは、システムＢＩＯＳに記憶されてもよい。
　別の実施例において、システムは利用者入力中断を感知する感知手段を備えたアドイン（ａｄｄ−ｉｎ）タイムアウト制御装置によって構成され、ディスエーブル手段はタイムアウト制御装置によって動作可能であり、ＨＳＹＮＣおよびＶＳＹＮＣ信号の１つを搬送するライン中に配置された１以上をスイッチを具備している。さらに別の実施例において、システムは利用者入力装置が接続されているポートにおいてインターフェイス装置に接続されたアドオン（外部）タイムアウト制御装置によって実現される。インターフェイス装置モニタの入力は中断し、アドオンタイムアウト制御装置はＳＹＮＣ信号を中断するためにモニタポートにおいて中断装置に接続されている。
　本発明の別の観点において、ＣＲＴモニタは、ホストコンピュータからの電力レベル信号に応答するように構成されている。モニタは、ホストコンピュータからのＶＳＹＮＣ信号およびＨＳＹＮＣ信号の存在を監視するＳＹＮＣ検出器と、それに応答してＣＲＴモニタ中の電力回路を遮断する電力レベル制御手段とを含んでいる。
　さらに別の観点において、モニタ用の電カシステムは、ホストコンピュータへのモニタケーブル中の配置された外部同期検出器を具備している。この制御装置は、モニタへのＡＣ主電力を制御するスイッチを駆動する。
　本発明によるコンピュータシステムは、システム中断時にゼロにリセットするように構成されたタイミング手段と、モニタへのＳＹＮＣ信号を中断するＳＹＮＣディスエーブル手段と、モニタに関連しており、モニタにおけるＳＹＮＣ信号の存在を感知するＳＹＮＣ検出手段と、モニタに関連しており、ＳＹＮＣ信号の存在に応答してモニタ中の電力使用回路を中断する電力レベル制御手段とを含んでいる。
　さらに別の観点において、利用者動作装置からの入力中断を感知し、このような中断の受信時にタイマーをゼロにリセットし、モニタに対するＶＳＹＮＣ信号およびＨＳＹＮＣ信号の少なくとも１つのディスエーブルに基づいてモニタに第１の電力レベル信号を供給し、第１の電力レベル信号とは異なる形態で第２の電力レベル信号を供給し、モニタにおいてＳＹＮＣ信号の存在を感知し、電力レベル信号に応答して電力回路を遮断するステップを含んでいるビデオ表示モニタの電力を節約する方法が提供される。陰極ヒータは第１の信号の存在に対してはそのままにされ、電力は第２の信号の受信に応答して完全に遮断される。
これらいくつかの観点における本発明は、不活性の期間に応答して、汎用コンピュータの既存の素子および能力を最大限に使用してモニタにおいて電力を節約する方法を提供し、また放射線の放出を最小にする。
［図面の簡単な説明］
　図１は、本発明の１実施例によるＰＣの概略図である。
　図２Ａは、本発明の別の実施例によるアドオン装置によって強化されたＰＣの概略図である。
　図２Ｂは、さらに別の実施例によるアドイン装置によって強化されたＰＣの概略図である。
　図３は、本発明の１実施例によるマイクロ制御装置ベースのビデオモニタの概略図である。
　図４は、本発明の別の実施例によるアドイン装置を備えた“ダム”モニタの概略図である。
　図５は、本発明のさらに別の実施例によるモニタへのＡＣ主電力を制御するアドオン装置の概略図である。
［好ましい実施例の説明］
　図１は、３つの状態に調節するためにモニタに信号を送るために３つの異なる信号をモニタに供給することができる本発明の好ましい実施例の機能素子を示す。本発明の１実施例において、その状態はモニタ電力管理（ＭＰＭ）の選択されたレベルである。モニタへの信号は、ＨＳＹＮＣおよびＶＳＹＮＣ信号の一方または他方、或は両方を中断することに基づいている。図１に示された実施例において、ＰＣ１１１は基本入出カシステム（ＢＩＯＳ）１１３およびビデオグラフィックアダプタ（ＶＧＡ）１１７を含む。本発明は、実質的にこのようなアダプタが全てＨＳＹＮＣおよびＶＳＹＮＣ信号を使用するため、別のビデオアダプタでも同様に良好に動作する。いくつかの他のアダプタにおいて、ＨＳＹＮＣおよびＶＳＹＮＣ信号を中断する等価の手段が使用される。
　ＢＩＯＳ１１３はＭＰＭに対する命令を含み、この命令は中央処理装置（ＣＰＵ）１１５にＶＧＡ１１７における同期エネーブル制御の状態を変化させる。別の実施例において、ＭＰＭを実行する命令は、動作システム（ＯＳ）装置駆動ルーチンまたはターミネートおよびステイレジデント（ＴＳＲ）プログラムに内蔵されていてもよい。
　ＭＰＭ命令モニタＣＰＵ１１５は、タイマー、キーボードおよび直列通信ポート等の入力装置（示されていない）に対して中断する。ＭＰＭ命令は各タイマー中断に関してタイムアウトカウンタを促進し、それぞれ監視された中断に関してカウントを最初の値にリセットする。ＭＰＭタイムアウトカウンタの最初の値は固定されてもよく、或は調節可能であってもよい。ＭＰＭタイムアウトカウンタが監視された中断の停止により予め設定されたオーバーフロー値に達した場合、ＨＳＹＮＣエネーブル装置１２４およびＶＳＹＮＣエネーブル装置１２６の制御の状態を変化して、水平同期発生器１２２によって生成された水平同期信号（ＨＳＹＮＣ）１２３、および、または垂直同期発生器１２０によって生成された垂直同期信号（ＶＳＹＮＣ）１２５、或はそれら両者の出力をディスエーブルする命令が実行される。続いて監視された中断はＨＳＹＮＣエネーブル装置１２４およびＶＳＹＮＣエネーブル装置１２６の制御回路の状態を変化して、ＶＧＡ１１７からのＨＳＹＮＣ信号１２３およびＶＳＹＮＣ信号１２５の出力をエネーブルする命令を実行させる
。
　
Ｖ
　既存のコンピュータに再適合するのに有効な図２Ａに示された別の実施例において、ＣＰＵ２１５を有する現在の技術のＰＣ２１１は、ＶＧＡ２１７のＶＳＹＮＣ出力２２５とビデオインターフェイス２２１に対するＶＳＹＮＣ入力２２６との間を接続するスイッチ２３１の設置によって強化される。カラーコンピュータにおいて、Ｒ，ＧおよびＢ信号はＤＡＣ２１９からインターフェイス２２１に送られる。ＭＰＭ命令を含むアドインタイムアウト制御装置２２９は、図１に対して上記に説明されているように入力装置の動作を監視する。全ての入力装置のタイムアウトは、プログラム制御されたスイッチ２３１の状態を変化する命令を実行させ、ビデオインターフェイス２２１へのＶＳＹＮＣ入力２２５を遮断する。監視された中断の回復はスイッチ２３１を閉じさせ、ライン２２６にＶＳＹＮＣ信号を戻す。第２のスイッチ２３２は、ライン２２４へのＨＳＹＮＣ信号を中断するためにＨＳＹＮＣラインにおいて使用されてもよく、この実施例ではアドインタイムアウト制御装置が両スイッチを制御する。さらに別の実施例において、１つのスイッチはＨＳＹＮＣおよびＶＳＹＮＣ両信号を中断するために使用されてもよい。
　図２Ａに与えられた機能ブロックは、アドインハードウェア／ソフトウェア態様に対する内部的な解決方法であり、ブロックはハードウェア装置およびインターフェイスとして文字通りに受け取られることは意図されていない。機能ブロックが構成される多数の等価な方法があることは当業者に明らかであろう。キーボード、マウスおよびモデム入力は、アドイン制御装置によって監視され、典型的な方法で同様にＣＰＵに利用可能である。
　図２Ｂは、ハードウェア／ソフトウェア態様に対する外部的な解決方法である。この解決方法において、アドオンタイムアウト制御装置２５９はコンピュータシステム２３３に対して外側であり、入力装置およびビデオ出力ポートを支持する各ポートは、アドオンタイムアウト制御装置に接続されたインターフェイス装置と適合される。例えば、ＣＯＭポート２４１でモデム２４５に対して使用されるインターフェイス２４３は、モデム動作を監視し、ライン２４４で制御装置２５９に報告する。キーボードポート２４７におけるインターフェイス２４９は、キーボード２５１の動作を監視し、ライン２５０で制御装置２５９に報告する。プリンタポート２５３におけるインターフェイス２５５はポインタ２５７の動作（マウス、ジョイスティック、トラックボール）を監視し、ライン２５６で制御装置２５９に報告する。
　この実施例において、制御装置２５９はタイマー機能を達成し、ライン２３８でビデオポート２３５におけるインターフェイス装置２３７に信号を出力する。ライン２３９のオーバーフロー状態にしたがってＨＳＹＮＣおよびＶＳＹＮＣ信号を中断する。
　本発明の１実施例によるカラービデオモニタ３４７は、図３に示されている。モニタ３４７は、インターフェイス３３３、本発明によるＭＰＭ命令を有するマイクロ制御装置３３９は、および電圧制御回路を有するビデオ回路（ＶＣ）３４５を含む。ＨＳＹＮＣパルス３３５およびＶＳＹＮＣパルス３３７は、インターフェイス３３３からマイクロ制御装置３３９に送られる。マイクロ制御装置３３９は、ＨＳＹＮＣ信号３３５およびＶＳＹＮＣ信号３３７を監視する。上記に説明されたＭＰＭ命令は、各対のＶＳＹＮＣパルス間において発生したＨＳＹＮＣパルスの数をカウントする。カウントされたゼロＨＳＹＮＣパルスは、マイクロ制御装置３３９におけるＭＰＭ命令にレベル２信号ライン３４３の電圧を変化させる。同様に、最大ビデオ走査率を大幅に越えており、ＶＳＹＮＣ３３７が失われたことを示すＨＳＹＮＣパルス３３５の間隔カウントはマイクロ制御装置３３９にレベル１信号ライン３４１の電圧を変化させる。ＨＳＹＮＣパルス３３５からＶＳＹＮＣ３３７のパルス間隔カウントを最小から最大走査率の範囲へ回復することは、マイクロ制御装置３３９中のＭＰＭ命令にレベル１信号ライン３４１およびレベル２信号ライン３４３に対する零入力電圧レベルを復元させる。
　ビデオ回路３４５がレベル１信号ライン３４１で活性電圧レベルを感知したとき、それはマイクロ制御装置３３９を除くモニタ３４７中の全ての回路に対する電力、インターフェイス３３３およびビデオ回路３４５の電力制御回路（示されていない）に必要な任意の電力を遮断する。このレベル１待機モードにおいて、モニタ３４７の電力消費量は９０％以上減少される。モニタ３４７が数秒以上レベル１待機状態である場合、全ウォーミングアップ時間がそれを再付勢するために必要とされる。レベル２信号ライン３４３上の活性電圧レベルはビデオ回路３４５に上記に示されたものプラスＣＲＴ陰極ヒータを除く全ての回路への電力を遮断させる。レベル２待機モードにおいて、モニタ３４７の電力消費量は８０乃至９０％だけ減少される。ＣＲＴは高温に維持されるため、レベル２待機モードからのモニタ３４７の再付勢には約５秒以下を要する。モニタ３４７の再付勢はレベル１信号ライン３４１およびレベル２信号ライン３４３上の電圧が零入力状態に復元したときに発生し、この状態はビデオ回路３４５がモニタ３４７の全ての回路への電力を付勢することを可能にする。
　図４はモニタ４４７における本発明の別の実施例を示しており、ビデオ回路が図３に示されたモニタに対して説明されたものに機能的に類似し、インターフェイス４３３およびビデオ回路４４５を含んでいるが、マイクロ制御装置は含まない。同期検出回路４５１は、適切な期間の時定数に対するＨＳＹＮＣ４３５およびＶＳＹＮＣ４３７のパルス間隔を比較して、同期パルスの短期間の中断を生じさせる。関連した時定数より長い期間のＨＳＹＮＣ４３５のパルスおよびＶＳＹＮＣ４３７のパルスの損失は、同期検出回路４５１に、図３に対して説明されたようにレベル１信号ライン４４１またはレベル２信号ライン４４３の電圧をその活性状態に変化させ、同じ結果を生じさせる。同様に、ＨＳＹＮＣ４３５およびＶＳＹＮＣ４３７のパルスの回復は、上記で図３に関して説明されたようにモニタ４４７を再付勢する。
　図５は、インターフェイス５３３を有するモニタ５４７による付加的な（アド・オン）使用に適した本発明のさらに別の実施例を示す。貫通接続部を有する外部容器中の同期検出回路５５１は、ＶＧＡケーブル１２７中に挿入されている。同期検出回路５５１は、ＶＧＡケーブル１２７上のビデオ信号を監視し、上記の図４に対して説明されたものに類似した方法でＶＳＹＮＣおよびＨＳＹＮＣの一方または他方に対するＳＹＮＣ間隔を１つの時定数に比較する。この時定数より長い間隔に対してＶＧＡケーブル１２７において監視されたＳＹＮＣ信号の損失は、同期検出回路５５１に電力制御ライン５６１の電圧をその活性レベルに変化させ、したがってそれは電子制御スイッチ５５３を開かせる。電子制御スイッチ５５３は、電気コード５５９からモニタ５４７の給電コード５５７用の受部へのＡＣ主電力を制御する。電子制御スイッチ５５３が開いたとき、ＡＣ電力・ＤＣ電力に変換する電源５５５が失われ、したがってモニタ５４７の全体的な遮断を発生させる。ＶＧＡケーブル１２７のビデオ信号におけるＳＹＮＣ信号の回復は同期検出回路５５１に電力制御ライン５６１をその零入力状態に変化させ、したがって電子制御スイッチ５５３を閉じさせ、それはＤＣ電力を出力する電源５５５へのＡＣ電力入力を回復し、モニタ５４７を再付勢する。
　本発明の技術的範囲を逸脱することなく多数の変更が実行可能なことは当業者に明らかである。ＢＩＯＳの代りにＯＳ装置駆動装置において実行されるＭＰＭ命令またはＴＳＲルーチン、２レベルＭＰＭの代りに１レベルＭＰＭおよび外部ビデオモニタ電力制御装置等、これら代りとなるもののうちのいくつかが既に説明されている。モニタにＭＰＭ状態変化を通信する別の方法は、ＨＳＹＮＣまたはＶＳＹＮＣにおける周波数変化の時間ベースの符号化されたシーケンス、カラー信号中の符号化された値を含むか、または長期間に対するカラー信号が含まれないことを利用する。ＭＰＭルーチンの別の実施例は、オペレータがメニュー、対話ボックスまたは命令ライン等の命令ステップを通してＭＰＭ動作を制御することを可能にする。このような制御は“ホットキー”を押すこと、命令ラインをタイプすること、またはその他のプログラムインターフェイスステップによるモニタ電力の随意の遮断を含んでいてもよい。その他の特徴は、オペレータがＭＰＭをトリガーし、ＭＰＭ監視をオンまたはオフに切替えるために必要とされるアイドリング時間を変化することを可能にする。別のＭＰＭルーチンでは、ビデオモニタヘの正常のビデオ信号の伝送をエネーブルする前に、オペレータがパスワードをタイプすることが要求される。モニタ電力制御を実施するための組込み的なおよび製造後の修正の両方に対して別の装置が構成されてもよい。単色および中間調ビデオアダプタおよびモニタに対する本発明の実施例もまた考慮される。